(57)【要約】  本発明はチャネル情報の設定方法及び装置、フィードバック方法及び装置を提供し、ここで、該設定方法は、基地局が１つのチャネル状態情報ＣＳＩプロセスにＱ個（Ｑは２以上の整数である）のＣＳＩ測定スレッドを設定し、基地局がＱ個のＣＳＩ測定スレッドに、Ｑ個のＣＳＩ測定スレッドのチャネル測定の実行に用いられるＰ１個（Ｐ１は０より大きい整数である）のチャネル測定基準信号と、Ｑ個のＣＳＩ測定スレッドの干渉測定の実行に用いられるＰ２個（Ｐ２は０より大きい整数である）の干渉測定リソースとを設定することを含む。本発明によれば、既存技術において基準信号の測定やフィードバック技術が柔軟性に欠けている問題を解決できる。
2018514165.tif 000002
【特許請求の範囲】
【請求項１】
基地局が１つのチャネル状態情報ＣＳＩプロセスにＱ個（Ｑは２以上の整数である）のＣＳＩ測定スレッドを設定することと、
前記基地局が前記Ｑ個のＣＳＩ測定スレッドに、前記Ｑ個のＣＳＩ測定スレッドのチャネル測定の実行に用いられるＰ１個（Ｐ１は０より大きい整数である）のチャネル測定基準信号と、前記Ｑ個のＣＳＩ測定スレッドの干渉測定の実行に用いられるＰ２個（Ｐ２は０より大きい整数である）の干渉測定リソースとを設定することと、を含むチャネル情報の設定方法。
【請求項２】
前記Ｑ個のＣＳＩ測定スレッドに対応するチャネル測定基準信号は同じで、前記Ｑ個のＣＳＩ測定スレッドの中の少なくとも二つのＣＳＩ測定スレッドに対応する干渉測定リソースは異なる請求項１に記載の方法。
【請求項３】
前記Ｑ個のＣＳＩ測定スレッドに対応する干渉リソース測定基準信号は同じで、前記Ｑ個のＣＳＩ測定スレッドの中の少なくとも二つのＣＳＩ測定スレッドに対応する干渉測定リソースは異なる請求項１に記載の方法。
【請求項４】
前記Ｑ個のＣＳＩ測定スレッドに対応するチャネル測定基準信号には、少なくとも２種類の異なるタイプの基準信号が存在する請求項１に記載の方法。
【請求項５】
前記基地局が前記Ｑ個のＣＳＩ測定スレッドに、前記ＣＳＩの量子化及び／又はフィードバック方法を設定することを含む請求項１に記載の方法。
【請求項６】
前記基地局が前記Ｑ個のＣＳＩ測定スレッドに、前記ＣＳＩの量子化及び／又はフィードバック方法を設定することは、
前記基地局が前記Ｑ個のＣＳＩ測定スレッドにチャネルのランクＲＡＮＫ又は伝送層数ＬＡＹＥＲの計算方法を設定すること、及び／又は、
前記基地局が前記Ｑ個のＣＳＩ測定スレッドにランク指標ＲＩの計算方法を設定すること、及び／又は、
前記基地局が前記Ｑ個のＣＳＩ測定スレッドに使用するコードブック量子化方法を設定すること、及び／又は、
前記基地局が前記Ｑ個のＣＳＩ測定スレッドにＣＳＩのフィードバックモードを設定することを含む請求項５に記載の方法。
【請求項７】
前記Ｑ個のＣＳＩ測定スレッドには、それぞれＸ個のＲＡＮＫ又はＬＡＹＥＲ組のチャネル情報のフィードバックに用いられる少なくともＸ個のＣＳＩ測定スレッドが存在する請求項６に記載の方法。
【請求項８】
前記Ｘが２である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１，２，３，４｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３〜８｝であるか、或いは、
ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛５〜８｝であるか、或いは、
ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛１〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２はＲＡＮＫ又はＬＡＹＥＲ＝｛２｝  ｏｒ  ＲＡＮＫ又はＬＡＹＥＲ＝｛２〜４｝  ｏｒ  ｛２〜８｝  ｏｒ  ｛１〜２｝  ｏｒ  ｛１〜４｝ｏｒ  ｛１〜８｝であって、
前記Ｘが３である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝で、ＲＡＮＫ又はＬＡＹＥＲ組３はＲＡＮＫ又はＬＡＹＥＲ＝｛５〜８｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１〜４｝で、ＲＡＮＫ又はＬＡＹＥＲ組３はＲＡＮＫ又はＬＡＹＥＲ＝｛１〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３，４｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２〜４｝で、ＲＡＮＫ又はＬＡＹＥＲ組２は｛５，８｝である請求項７に記載の方法。
【請求項９】
基地局が１つのチャネル状態情報ＣＳＩプロセスに、前記Ｑ個のＣＳＩ測定スレッドのチャネル測定の実行に用いられるＰ１個（Ｐ１は０より大きい整数である）のチャネル測定基準信号と、前記Ｑ個のＣＳＩ測定スレッドの干渉測定の実行に用いられるＰ２個（Ｐ２は０より大きい整数である）の干渉測定リソースを設定することを含み、前記Ｐ１と前記Ｐ２の中の少なくとも１つが１より大きいチャネル情報の設定方法。
【請求項１０】
端末が１つのＣＳＩプロセスに対応するＱ個のＣＳＩ測定スレッドの設定情報を取得することを含む方法であって、
前記設定情報は、前記Ｑ個のＣＳＩ測定スレッドのチャネル測定の実行に用いられるＰ１個（Ｐ１は０より大きい整数である）のチャネル測定基準信号と、前記Ｑ個のＣＳＩ測定スレッドの干渉測定の実行に用いられるＰ２個（Ｐ２は０より大きい整数である）の干渉測定リソースとを含み、
前記端末が前記Ｐ１個のチャネル測定基準信号と前記Ｐ２個の干渉測定リソースに基づいて、前記Ｑ個のＣＳＩ測定スレッドにＣＳＩ測定及びＣＳＩフィードバック操作を実行し、ＣＳＩ測定及びＣＳＩフィードバック操作が実行された前記Ｑ個のＣＳＩ測定スレッドからＹ個のＣＳＩ測定スレッドを選択することを含むチャネル情報のフィードバック方法。
【請求項１１】
前記Ｑ個のＣＳＩ測定スレッドに対応するチャネル測定基準信号は同じで、前記Ｑ個のＣＳＩ測定スレッドの中の少なくとも二つのＣＳＩ測定スレッドに対応する干渉測定リソースは異なる請求項１０に記載の方法。
【請求項１２】
前記Ｑ個のＣＳＩ測定スレッドに対応する干渉リソース測定基準信号は同じで、前記Ｑ個のＣＳＩ測定スレッドの中の少なくとも二つのＣＳＩ測定スレッドに対応する干渉測定リソースは異なる請求項１０に記載の方法。
【請求項１３】
前記Ｑ個のＣＳＩ測定スレッドに対応するチャネル測定基準信号には、少なくとも２種類の異なるタイプの基準信号が存在する請求項１０に記載の方法。
【請求項１４】
前記設定情報はさらに、前記Ｑ個のＣＳＩ測定スレッドに前記ＣＳＩの量子化及び／又はフィードバック方法を設定するよう前記基地局に指示するためのものである請求項１０に記載の方法。
【請求項１５】
前記ＣＳＩの量子化及び／又はフィードバック方法は、チャネルのランクＲＡＮＫ又は伝送層数ＬＡＹＥＲの計算方法と、ランク指標ＲＩの計算方法と、使用するコードブック量子化方法と、ＣＳＩのフィードバックモードとの中の少なくとも１つを含む請求項１４に記載の方法。
【請求項１６】
前記Ｑ個のＣＳＩ測定スレッドには、それぞれＸ個のＲＡＮＫ又はＬＡＹＥＲ組のチャネル情報のフィードバックに用いられる少なくともＸ個のＣＳＩ測定スレッドが存在する請求項１５に記載の方法。
【請求項１７】
前記Ｘが２である場合、
ＲＡＮＫ又はＬＡＹＥＲ組１はＲＡＮＫ＝｛１，２｝又はＬＡＹＥＲ＝｛１，２｝で、ＲＡＮＫ又はＬＡＹＥＲ組２はＲＡＮＫ又はＬＡＹＥＲ＝｛３，４｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１，２，３，４｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３〜８｝であるか、或いは、
ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛５〜８｝であるか、或いは、
ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛１〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２はＲＡＮＫ又はＬＡＹＥＲ＝｛２｝  ｏｒ  ＲＡＮＫ又はＬＡＹＥＲ＝｛２〜４｝  ｏｒ  ｛２〜８｝  ｏｒ  ｛１〜２｝  ｏｒ  ｛１〜４｝  ｏｒ  ｛１〜８｝であって、
前記Ｘが３である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝で、ＲＡＮＫ又はＬＡＹＥＲ組３はＲＡＮＫ又はＬＡＹＥＲ＝｛５〜８｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１〜４｝で、ＲＡＮＫ又はＬＡＹＥＲ組３はＲＡＮＫ又はＬＡＹＥＲ＝｛１〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３，４｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２〜４｝で、ＲＡＮＫ又はＬＡＹＥＲ組２は｛５，８｝である請求項１６に記載の方法。
【請求項１８】
基地局側にあるチャネル情報の設定装置であって、
１つのチャネル状態情報ＣＳＩプロセスにＱ個（Ｑは２以上の整数である）のＣＳＩ測定スレッドを設定するように構成された第１の設定モジュールと、
前記Ｑ個のＣＳＩ測定スレッドに、前記Ｑ個のＣＳＩ測定スレッドのチャネル測定の実行に用いられるＰ１個（Ｐ１は０より大きい整数である）のチャネル測定基準信号と、前記Ｑ個のＣＳＩ測定スレッドの干渉測定の実行に用いられるＰ２個（Ｐ２は０より大きい整数である）の干渉測定リソースを設定するように構成された第２の設定モジュールと、を備えるチャネル情報の設定装置。
【請求項１９】
前記Ｑ個のＣＳＩ測定スレッドに対応するチャネル測定基準信号は同じで、前記Ｑ個のＣＳＩ測定スレッドの中の少なくとも二つのＣＳＩ測定スレッドに対応する干渉測定リソースは異なる請求項１８に記載の装置。
【請求項２０】
前記Ｑ個のＣＳＩ測定スレッドに対応する干渉リソース測定基準信号は同じで、前記Ｑ個のＣＳＩ測定スレッドの中の少なくとも二つのＣＳＩ測定スレッドに対応する干渉測定リソースは異なる請求項１８に記載の装置。
【請求項２１】
前記Ｑ個のＣＳＩ測定スレッドに対応するチャネル測定基準信号には、少なくとも２種類の異なるタイプの基準信号が存在する請求項１８に記載の装置。
【請求項２２】
前記Ｑ個のＣＳＩ測定スレッドに前記ＣＳＩの量子化及び／又はフィードバック方法を設定するように構成された第３の設定モジュールを備える請求項１８に記載の装置。
【請求項２３】
前記第３の設定モジュールはさらに、前記基地局が前記Ｑ個のＣＳＩ測定スレッドにチャネルのランクＲＡＮＫ又は伝送層数ＬＡＹＥＲの計算方法、及び／又は、
ランク指標ＲＩの計算方法、及び／又は、
使用するコードブック量子化方法、及び／又は、
ＣＳＩのフィードバックモードを設定するように構成された請求項２２に記載の装置。
【請求項２４】
前記Ｑ個のＣＳＩ測定スレッドには、それぞれＸ個のＲＡＮＫ又はＬＡＹＥＲ組のチャネル情報のフィードバックに用いられる少なくともＸ個のＣＳＩ測定スレッドが存在する請求項２３に記載の装置。
【請求項２５】
前記Ｘが２である場合、
ＲＡＮＫ又はＬＡＹＥＲ組１はＲＡＮＫ＝｛１，２｝又はＬＡＹＥＲ＝｛１，２｝で、ＲＡＮＫ又はＬＡＹＥＲ組２はＲＡＮＫ又はＬＡＹＥＲ＝｛３，４｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１，２，３，４｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３〜８｝であるか、或いは、
ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛５〜８｝であるか、或いは、
ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛１〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２はＲＡＮＫ又はＬＡＹＥＲ＝｛２｝  ｏｒ  ＲＡＮＫ又はＬＡＹＥＲ＝｛２〜４｝  ｏｒ  ｛２〜８｝  ｏｒ  ｛１〜２｝  ｏｒ  ｛１〜４｝  ｏｒ  ｛１〜８｝であって、
前記Ｘが３である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝で、ＲＡＮＫ又はＬＡＹＥＲ組３はＲＡＮＫ又はＬＡＹＥＲ＝｛５〜８｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１〜４｝で、ＲＡＮＫ又はＬＡＹＥＲ組３はＲＡＮＫ又はＬＡＹＥＲ＝｛１〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３，４｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２〜４｝で、ＲＡＮＫ又はＬＡＹＥＲ組２は｛５，８｝である請求項２４に記載の装置。
【請求項２６】
基地局側にあるチャネル情報の設定装置であって、
１つのチャネル状態情報ＣＳＩプロセスに、前記Ｑ個のＣＳＩ測定スレッドのチャネル測定の実行に用いられるＰ１個（Ｐ１は０より大きい整数である）のチャネル測定基準信号と、前記Ｑ個のＣＳＩ測定スレッドの干渉測定の実行に用いられるＰ２個（Ｐ２は０より大きい整数である）の干渉測定リソースを設定するように構成された第４の設定モジュールを備え、前記Ｐ１と前記Ｐ２の中の少なくとも１つが１より大きいチャネル情報の設定装置。
【請求項２７】
端末側にあり、取得モジュールと、選択モジュールとを備えるチャネル情報のフィードバック装置であって、
前記取得モジュールは、１つのＣＳＩプロセスに対応するＱ個のＣＳＩ測定スレッドの設定情報を取得するように構成され、
前記設定情報は、前記Ｑ個のＣＳＩ測定スレッドのチャネル測定の実行に用いられるＰ１個（Ｐ１は０より大きい整数である）のチャネル測定基準信号と、前記Ｑ個のＣＳＩ測定スレッドの干渉測定の実行に用いられるＰ２個（Ｐ２は０より大きい整数である）の干渉測定リソースとを含み、
前記選択モジュールは、前記端末が前記Ｐ１個のチャネル測定基準信号と前記Ｐ２個の干渉測定リソースに基づいて前記Ｑ個のＣＳＩ測定スレッドにＣＳＩ測定及びＣＳＩフィードバック操作を実行して、ＣＳＩ測定及びＣＳＩフィードバック操作が実行された前記Ｑ個のＣＳＩ測定スレッドからＹ個のＣＳＩ測定スレッドを選択するように構成されるチャネル情報のフィードバック装置。
【請求項２８】
前記Ｑ個のＣＳＩ測定スレッドに対応するチャネル測定基準信号は同じで、前記Ｑ個のＣＳＩ測定スレッドの中の少なくとも二つのＣＳＩ測定スレッドに対応する干渉測定リソースは異なる請求項２７に記載の装置。
【請求項２９】
前記Ｑ個のＣＳＩ測定スレッドに対応する干渉リソース測定基準信号は同じで、前記Ｑ個のＣＳＩ測定スレッドの中の少なくとも二つのＣＳＩ測定スレッドに対応する干渉測定リソースは異なる請求項２７に記載の装置。
【請求項３０】
前記Ｑ個のＣＳＩ測定スレッドに対応するチャネル測定基準信号には、少なくとも２種類の異なるタイプの基準信号が存在する請求項２７に記載の装置。
【請求項３１】
前記設定情報は、ＣＳＩの量子化及び／又はフィードバック方法をさらに含む請求項２７に記載の装置。
【請求項３２】
前記ＣＳＩの量子化及び／又はフィードバック方法は、チャネルのランクＲＡＮＫ又はＬＡＹＥＲの計算方法と、ランク指標ＲＩの計算方法と、使用するコードブック量子化方法と、ＣＳＩのフィードバックモードの中の少なくとも１つを含む請求項３１に記載の装置。
【請求項３３】
前記Ｑ個のＣＳＩ測定スレッドには、それぞれＸ個のＲＡＮＫ又はＬＡＹＥＲ組のチャネル情報のフィードバックに用いられる少なくともＸ個のＣＳＩ測定スレッドが存在する請求項３２に記載の装置。
【請求項３４】
前記Ｘが２である場合、
ＲＡＮＫ又はＬＡＹＥＲ組１はＲＡＮＫ＝｛１，２｝又はＬＡＹＥＲ＝｛１，２｝で、ＲＡＮＫ又はＬＡＹＥＲ組２はＲＡＮＫ又はＬＡＹＥＲ＝｛３，４｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１，２，３，４｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３〜８｝であるか、或いは、
ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛５〜８｝であるか、或いは、
ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛１〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２はＲＡＮＫ又はＬＡＹＥＲ＝｛２｝  ｏｒ  ＲＡＮＫ又はＬＡＹＥＲ＝｛２〜４｝  ｏｒ  ｛２〜８｝  ｏｒ  ｛１〜２｝  ｏｒ  ｛１〜４｝  ｏｒ  ｛１〜８｝であって、
前記Ｘが３である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝で、ＲＡＮＫ又はＬＡＹＥＲ組３はＲＡＮＫ又はＬＡＹＥＲ＝｛５〜８｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１〜４｝で、ＲＡＮＫ又はＬＡＹＥＲ組３はＲＡＮＫ又はＬＡＹＥＲ＝｛１〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３，４｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２〜４｝で、ＲＡＮＫ又はＬＡＹＥＲ組２は｛５，８｝である請求項３３に記載の装置。
【発明の詳細な説明】
【技術分野】
【０００１】
本発明は、通信分野に関し、特に、チャネル情報の設定方法及び装置、フィードバック方法及び装置に関する。
【背景技術】
【０００２】
マルチアンテナ通信におけるプリコーディングとフィードバック技術の基礎原理を紹介すると、無線通信システムにおいて、送信側と受信側が空間多重化方式で複数のアンテナを使用して一層高いレートを得ることである。通常の空間多重化方法に比べ、補強させた技術は、受信側により送信側へチャネル情報をフィードバックし、送信側が取得したチャネル情報に基づいて、プリコーディング送信技術で、伝送性能を大幅に向上させることができる。シングルユーザマルチ入力マルチ出力（ＳＵ−ＭＩＭＯ、この中のＭＩＭＯは、Ｍｕｌｔｉ−ｉｎｐｕｔ  Ｍｕｌｔｉ−ｏｕｔｐｕｔ、マルチ入力マルチ出力を表す）の場合、直接にチャネル特徴ベクトル情報を用いてプリコーディングし、マルチユーザＭＩＭＯ（ＭＵ−ＭＩＭＯ）の場合、精確なチャネル情報を比較しなければならない。３ＧＰＰ長期進化（Ｌｏｎｇ  Ｔｅｒｍ  Ｅｖｏｌｕｔｉｏｎ、ＬＴＥと略称）企画において、チャネル情報のフィードバックは主に、簡単な単一コードブックを利用したフィードバック方法であって、ＭＩＭＯのプリコーディング送信技術の性能はさらにその中のコードブックフィードバックの正確性に依存する。
【０００３】
ここで、コードブックに基づくチャネル情報の量子化フィードバックの基本原理を簡単に説明すると、限られたフィードバックチャネル容量が
2018514165.tif 000003
ｂｐｓ／Ｈｚ
であるとすると、利用可能なコードワードの数量は
2018514165.tif 000004
個である。チャネル行列の特徴ベクトル空間を量子化することで、コードブック空間
2018514165.tif 000005
を構成する。送信側と受信側は当該コードブック
2018514165.tif 000006
（送信側と受信側が同じである）を共同で保存し又はリアルタイムに発生する。毎回のチャネル実装Ｈについて、受信側が一定のルールに従ってコードブック空間
2018514165.tif 000007
からチャネル実装Ｈに最もマッチングするコードワード
2018514165.tif 000008
を選択して、該コードワード
2018514165.tif 000009
の番号
2018514165.tif 000010
（コードワード番号）を送信側へフィードバックする。ここで、コードワード番号をコードブック中のプリコーディング行列インジケータ（Ｐｒｅｃｏｄｉｎｇ  Ｍａｔｒｉｘ  Ｉｎｄｉｃａｔｏｒ、ＰＭＩと略称）と称す。送信側は、この番号
2018514165.tif 000011
に基づいて、対応するプリコーディングコードワード
2018514165.tif 000012
を探して、対応するチャネル情報を取得し、
2018514165.tif 000013
はチャネルの特徴ベクトル情報を示す。ここで、チャネルチャネルＨは、通常、チャネル測定基準信号に基づいてチャネル測定を行って取得したものである。
【０００４】
通常、コードブック空間
2018514165.tif 000014
はさらに、複数のＲａｎｋに対応するコードブックに区画され、各Ｒａｎｋに複数のコードワードが対応されて、該Ｒａｎｋのチャネル特徴ベクトルからなるプリコーディング行列の量子化を行う。チャネルのＲａｎｋと非ゼロ特徴ベクトルの数量が等しいので、通常、ＲａｎｋがＮである時、コードワードもＮ列ある。従って、コードブック空間
2018514165.tif 000015
は、Ｒａｎｋの違いに応じて、複数のサブコードブックに区画され、表１に示すように、表１にコードブックがＲａｎｋに応じて複数のサブコードブックに区画されたものを示す。
【０００５】
【表１】
2018514165.tif 000016
【０００６】
ここで、Ｒａｎｋ＞1である場合、記憶すべきコードワードはいずれも行列形式であって、ここでＬＴＥプロトコル中のコードブックがこのようなコードブック量子化のフィードバック方法を採用し、実際上、ＬＴＥにおいてプリコーディングコードブックとチャネル情報量子化コードブックの意味は同じである。以下の説明において、統一させるため、ベクトルを次元数が１である行列と見なすことができる。
【０００７】
３ＧＰＰプロトコルにおけるチャネル状態情報のフィードバック内容を紹介すると、ここで、以下はＬＴＥにおけるチャネル情報のフィードバックに関する内容であって、本発明が注目している内容はチャネルのランク指標（Ｒａｎｋ  Ｉｎｄｉｃａｔｉｏｎ、ＲＩと略称）情報とＰＭＩ情報であって、チャネル品質指示情報（Ｃｈａｎｎｅｌ  ｑｕａｌｉｔｙ  ｉｎｄｉｃａｔｉｏｎ、ＣＱＩと略称）はＰＭＩを含んで一緒にフィードバックされることができる。チャネル状態情報のフィードバックは、チャネル品質指示情報（Ｃｈａｎｎｅｌ  ｑｕａｌｉｔｙ  ｉｎｄｉｃａｔｉｏｎ、ＣＱＩと略称）、プリコーディング行列インジケータ（Ｐｒｅｃｏｄｉｎｇ  Ｍａｔｒｉｘ  Ｉｎｄｉｃａｔｏｒ、ＰＭＩと略称）とランク指標ＲＩを含む。
【０００８】
ＣＱＩは、ダウンリンクチャネルの品質状態を評価する指標である。３６―２１３プロトコルにおいて、ＣＱＩを０〜１５の整数値で表し、それぞれ、異なるＣＱＩレベルを示し、異なるＣＱＩは各自の変調方式とコーディングレート（ＭＣＳ）に対応する。ＲＩは空間的に独立したチャネルの数量を表し、チャネル応答行列のランクに対応する。開ループ空間多重化と閉ループ空間多重化モードで、ＵＥはＲＩ情報をフィードバックする必要があって、他のモードではＲＩ情報をフィードバックする必要がない。チャネル行列のランクは層数に対応する。ＰＭＩによりフィードバックされたのは、最適なプリコーディング情報であって、インデックスフィードバックに基づいて、約定したコードブック中の現在のチャネルの特徴に最もマッチングするコードワードを指示する。
【０００９】
３ＧＰＰはさらに、チャネル状態情報（Ｃｈａｎｎｅｌ  Ｓｔａｔｅ  Ｉｎｆｏｒｍａｔｉｏｎ、ＣＳＩと略称）ｐｒｏｃｅｓｓ（プロセス）の概念を導入し、基地局は端末に対し複数のＣＳＩ  ｐｒｏｃｅｓｓを設定することができ、ＣＳＩ  ｐｒｏｃｅｓｓそれぞれは１つのフィードバックプロセスに相当し、各ＣＳＩ  ｐｒｏｃｅｓｓ同士は独立していて、それぞれパラメータの設定を行うことができる。
【００１０】
１つのＣＳＩ  ｐｒｏｃｅｓｓは、チャネル測定部分の設定と干渉測定部分及びフィードバックモードの設定とを含み、チャネル測定部分は、通常、１セットの非ゼロパワーのＣＳＩ測定基準信号(Ｎｏｎ  Ｚｅｒｏ  Ｐｏｗｅｒ  ＣＳＩ−ＲＳ)を指定して、チャネル測定に用いて、干渉測定は、通常、１セットのＩＭＲリソース設定を指定して、干渉測定に用いて、ＩＭＲリソースは、通常、１セットのゼロパワーのＣＳＩ−ＲＳ（Ｚｅｒｏ  Ｐｏｗｅｒ  ＣＳＩ−ＲＳ）であることができる。
【００１１】
関連技術において、通常、基準信号を全次元基準信号と見なし、即ち、物理アンテナと測定基準信号ポートが一対一にマッピングし、チャネル測定の方法が簡単であって、またＲＩ／ＰＭＩ／ＣＱＩに基づく黙示的フィードバック方法のＣＳＩ量子化フィードバック技術も単一である。
【００１２】
ＭＩＭＯ技術の発展に伴って、大量の新規技術が出現し、例えばプリコーディングＣＳＩ−ＲＳ基準信号に基づく測定技術と、水平や垂直に次元を区画してフィードバックする技術等の新規のフィードバック技術とが出現した。一部の新規技術が一部の状況で優れた性能を有しているが、性能の損失が発生する場合もあるので、各種の測定やフィードバックを柔軟に行うことは非常に重要であって、これにより良好な性能を保障しつつ良好な測定やフィードバックロバスト性を保障できる。
【００１３】
既存技術において基準信号の測定やフィードバック技術が柔軟性に欠けている問題について、未だに有効な解決案を提示していない。
【発明の概要】
【発明が解決しようとする課題】
【００１４】
本発明の実施形態は、少なくとも既存技術において基準信号の測定やフィードバック技術が柔軟性に欠けている問題を解決できるチャネル情報の設定方法及び装置、フィードバック方法及び装置を提供することをその主な目的とする。
【課題を解決するための手段】
【００１５】
本発明の実施形態の一態様によると、基地局が１つのチャネル状態情報ＣＳＩプロセスにＱ個（Ｑは２以上の整数である）のＣＳＩ測定スレッドを設定することと、前記基地局が、前記Ｑ個のＣＳＩ測定スレッドに、前記Ｑ個のＣＳＩ測定スレッドのチャネル測定の実行に用いられるＰ１個（Ｐ１は０より大きい整数である）のチャネル測定基準信号と、前記Ｑ個のＣＳＩ測定スレッドの干渉測定の実行に用いられるＰ２個（Ｐ２は０より大きい整数である）の干渉測定リソースとを設定することとを含むチャネル情報の設定方法を提供する。
【００１６】
また、前記Ｑ個のＣＳＩ測定スレッドに対応するチャネル測定基準信号は同じであって、前記Ｑ個のＣＳＩ測定スレッドの中の少なくとも二つのＣＳＩ測定スレッドに対応する干渉測定リソースは異なってもよい。
【００１７】
また、前記Ｑ個のＣＳＩ測定スレッドに対応する干渉リソース測定基準信号は同じであって、前記Ｑ個のＣＳＩ測定スレッドの中の少なくとも二つのＣＳＩ測定スレッドに対応する干渉測定リソースは異なってもよい。
【００１８】
また、前記Ｑ個のＣＳＩ測定スレッドに対応するチャネル測定基準信号には、少なくとも２種類の異なるタイプの基準信号が存在してもよい。
【００１９】
また、前記方法は、前記基地局が前記Ｑ個のＣＳＩ測定スレッドに、前記ＣＳＩの量子化及び／又はフィードバック方法を設定することを含んでもよい。
【００２０】
また、前記基地局が前記Ｑ個のＣＳＩ測定スレッドに、前記ＣＳＩの量子化及び／又はフィードバック方法を設定することは、前記基地局が前記Ｑ個のＣＳＩ測定スレッドにチャネルのランクＲＡＮＫ又は伝送層数ＬＡＹＥＲの計算方法を設定すること、及び／又は、前記基地局が前記Ｑ個のＣＳＩ測定スレッドにランク指標ＲＩの計算方法を設定すること、及び／又は、前記基地局が前記Ｑ個のＣＳＩ測定スレッドに使用するコードブック量子化方法を設定すること、及び／又は、前記基地局が前記Ｑ個のＣＳＩ測定スレッドにＣＳＩのフィードバックモードを設定することを含んでもよい。
【００２１】
また、前記Ｑ個のＣＳＩ測定スレッドに少なくとも、それぞれＸ個のＲＡＮＫ又はＬＡＹＥＲ組のチャネル情報のフィードバックに用いられるＸ個のＣＳＩ測定スレッドが存在してもよい。
【００２２】
また、前記Ｘが２である場合、ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝であるか、或いは、ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１，２，３，４｝であるか、或いは、ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３〜８｝であるか、或いは、ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛５〜８｝であるか、或いは、ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛１〜８｝であるか、或いは、ＲＡＮＫ又はＬＡＹＥＲ組１はＲＡＮＫ又はＬＡＹＥＲ＝｛１｝で、ＲＡＮＫ又はＬＡＹＥＲ組２はＲＡＮＫ又はＬＡＹＥＲ＝｛２｝  ｏｒ  ＲＡＮＫ又はＬＡＹＥＲ＝｛２〜４｝  ｏｒ｛２〜８｝  ｏｒ｛１〜２｝  ｏｒ｛１〜４｝ｏｒ｛１〜８｝であって、
前記Ｘが３である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝で、ＲＡＮＫ又はＬＡＹＥＲ組３はＲＡＮＫ又はＬＡＹＥＲ＝｛５〜８｝であるか、或いは、ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１〜４｝で、ＲＡＮＫ又はＬＡＹＥＲ組３はＲＡＮＫ又はＬＡＹＥＲ＝｛１〜８｝であるか、或いは、ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３，４｝であるか、或いは、ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３〜８｝であるか、或いは、ＲＡＮＫ又はＬＡＹＥＲ組１はＲＡＮＫ又はＬＡＹＥＲ＝｛１｝で、ＲＡＮＫ又はＬＡＹＥＲ組２は｛２〜４｝で、ＲＡＮＫ又はＬＡＹＥＲ組２は｛５，８｝であってもよい。
【００２３】
本発明の他の一態様によると、基地局が１つのチャネル状態情報ＣＳＩプロセスに、前記Ｑ個のＣＳＩ測定スレッドのチャネル測定の実行に用いられるＰ１個（Ｐ１は０より大きい整数である）のチャネル測定基準信号と、前記Ｑ個のＣＳＩ測定スレッドの干渉測定の実行に用いられるＰ２個（Ｐ２は０より大きい整数である）の干渉測定リソースを設定することを含み、前記Ｐ１と前記Ｐ２の中の少なくとも１つが１より大きいチャネル情報の設定方法を提供する。
【００２４】
本発明の実施形態の他の一態様によると、端末が１つのＣＳＩプロセスに対応するＱ個のＣＳＩ測定スレッドの設定情報を取得することを含む方法であって、前記設定情報は、前記Ｑ個のＣＳＩ測定スレッドのチャネル測定の実行に用いられるＰ１個（Ｐ１は０より大きい整数である）のチャネル測定基準信号と、前記Ｑ個のＣＳＩ測定スレッドの干渉測定の実行に用いられるＰ２個（Ｐ２は０より大きい整数である）の干渉測定リソースとを含み、前記端末が前記Ｐ１個のチャネル測定基準信号と前記Ｐ２個の干渉測定リソースに基づいて、前記Ｑ個のＣＳＩ測定スレッドにＣＳＩ測定及びＣＳＩフィードバック操作を実行し、ＣＳＩ測定及びＣＳＩフィードバック操作が実行された前記Ｑ個のＣＳＩ測定スレッドからＹ個のＣＳＩ測定スレッドを選択することを含むチャネル情報のフィードバック方法を提供する。
【００２５】
また、前記Ｑ個のＣＳＩ測定スレッドに対応するチャネル測定基準信号は同じで、前記Ｑ個のＣＳＩ測定スレッドの中の少なくとも二つのＣＳＩ測定スレッドに対応する干渉測定リソースは異なってもよい。
【００２６】
また、前記Ｑ個のＣＳＩ測定スレッドに対応する干渉リソース測定基準信号は同じで、前記Ｑ個のＣＳＩ測定スレッドの中の少なくとも二つのＣＳＩ測定スレッドに対応する干渉測定リソースは異なってもよい。
【００２７】
また、前記Ｑ個のＣＳＩ測定スレッドに対応するチャネル測定基準信号には、少なくとも２種類の異なるタイプの基準信号が存在してもよい。
【００２８】
また、前記設定情報はさらに、前記Ｑ個のＣＳＩ測定スレッドに前記ＣＳＩの量子化及び／又はフィードバック方法を設定するよう前記基地局に指示するものであってもよい。
【００２９】
また、前記ＣＳＩの量子化及び／又はフィードバック方法は、チャネルのランクＲＡＮＫ又は伝送層数ＬＡＹＥＲの計算方法と、ランク指標ＲＩの計算方法と、使用するコードブック量子化方法と、ＣＳＩのフィードバックモードとの中の少なくとも１つを含んでもよい。
【００３０】
また、前記Ｑ個のＣＳＩ測定スレッドに少なくとも、それぞれＸ個のＲＡＮＫ又はＬＡＹＥＲ組のチャネル情報のフィードバックに用いられるＸ個のＣＳＩ測定スレッドが存在してもよい。
【００３１】
また、前記Ｘが２である場合、
ＲＡＮＫ又はＬＡＹＥＲ組１はＲＡＮＫ＝｛１，２｝又はＬＡＹＥＲ＝｛１，２｝で、ＲＡＮＫ又はＬＡＹＥＲ組２はＲＡＮＫ又はＬＡＹＥＲ＝｛３，４｝であるか、或いは、ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１，２，３，４｝であるか、或いは、ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３〜８｝であるか、或いは、ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛５〜８｝であるか、或いは、ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛１〜８｝であるか、或いは、ＲＡＮＫ又はＬＡＹＥＲ組１はＲＡＮＫ又はＬＡＹＥＲ＝｛１｝で、ＲＡＮＫ又はＬＡＹＥＲ組２はＲＡＮＫ又はＬＡＹＥＲ＝｛２｝  ｏｒ  ＲＡＮＫ又はＬＡＹＥＲ＝｛２〜４｝  ｏｒ｛２〜８｝  ｏｒ｛１〜２｝  ｏｒ｛１〜４｝ｏｒ｛１〜８｝であって、
前記Ｘが３である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝で、ＲＡＮＫ又はＬＡＹＥＲ組３はＲＡＮＫ又はＬＡＹＥＲ＝｛５〜８｝であるか、或いは、ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１〜４｝で、ＲＡＮＫ又はＬＡＹＥＲ組３はＲＡＮＫ又はＬＡＹＥＲ＝｛１〜８｝であるか、或いは、ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３，４｝であるか、或いは、ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３〜８｝であるか、或いは、ＲＡＮＫ又はＬＡＹＥＲ組１はＲＡＮＫ又はＬＡＹＥＲ＝｛１｝で、ＲＡＮＫ又はＬＡＹＥＲ組２は｛２〜４｝で、ＲＡＮＫ又はＬＡＹＥＲ組２は｛５，８｝であってもよい。
【００３２】
本発明の実施形態の他の一態様によると、基地局側にあるチャネル情報の設定装置であって、１つのチャネル状態情報ＣＳＩプロセスにＱ個（Ｑは２以上の整数である）のＣＳＩ測定スレッドを設定するように構成された第１の設定モジュールと、前記Ｑ個のＣＳＩ測定スレッドに、前記Ｑ個のＣＳＩ測定スレッドのチャネル測定の実行に用いられるＰ１個（Ｐ１は０より大きい整数である）のチャネル測定基準信号と、前記Ｑ個のＣＳＩ測定スレッドの干渉測定の実行に用いられるＰ２個（Ｐ２は０より大きい整数である）の干渉測定リソースを設定するように構成された第２の設定モジュールと、を含むチャネル情報の設定装置を提供する。
【００３３】
また、前記Ｑ個のＣＳＩ測定スレッドに対応するチャネル測定基準信号は同じで、前記Ｑ個のＣＳＩ測定スレッドの中の少なくとも二つのＣＳＩ測定スレッドに対応する干渉測定リソースは異なってもよい。
【００３４】
また、前記Ｑ個のＣＳＩ測定スレッドに対応する干渉リソース測定基準信号は同じで、前記Ｑ個のＣＳＩ測定スレッドの中の少なくとも二つのＣＳＩ測定スレッドに対応する干渉測定リソースは異なってもよい。
【００３５】
また、前記Ｑ個のＣＳＩ測定スレッドに対応するチャネル測定基準信号に少なくとも２種類の異なるタイプの基準信号が存在してもよい。
【００３６】
また、前記装置は、前記Ｑ個のＣＳＩ測定スレッドに前記ＣＳＩの量子化及び／又はフィードバック方法を設定するように構成された第３の設定モジュールを含んでもよい。
【００３７】
また、前記第３の設定モジュールはさらに、前記基地局が前記Ｑ個のＣＳＩ測定スレッドに、チャネルのランクＲＡＮＫ又は伝送層数ＬＡＹＥＲの計算方法、及び／又は、ランク指標ＲＩの計算方法、及び／又は、使用するコードブック量子化方法、及び／又は、ＣＳＩのフィードバックモードを設定するように構成されてもよい。
【００３８】
また、前記Ｑ個のＣＳＩ測定スレッドに少なくとも、それぞれＸ個のＲＡＮＫ又はＬＡＹＥＲ組のチャネル情報のフィードバックに用いられるＸ個のＣＳＩ測定スレッドが存在してもよい。
【００３９】
また、前記Ｘが２である場合、
ＲＡＮＫ又はＬＡＹＥＲ組１はＲＡＮＫ＝｛１，２｝又はＬＡＹＥＲ＝｛１，２｝で、ＲＡＮＫ又はＬＡＹＥＲ組２はＲＡＮＫ又はＬＡＹＥＲ＝｛３，４｝であるか、或いは、ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１，２，３，４｝であるか、或いは、ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３〜８｝であるか、或いは、ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛５〜８｝であるか、或いは、ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛１〜８｝であるか、或いは、ＲＡＮＫ又はＬＡＹＥＲ組１はＲＡＮＫ又はＬＡＹＥＲ＝｛１｝で、ＲＡＮＫ又はＬＡＹＥＲ組２はＲＡＮＫ又はＬＡＹＥＲ＝｛２｝  ｏｒ  ＲＡＮＫ又はＬＡＹＥＲ＝｛２〜４｝  ｏｒ｛２〜８｝  ｏｒ｛１〜２｝  ｏｒ｛１〜４｝ｏｒ｛１〜８｝であって、
前記Ｘが３である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝で、ＲＡＮＫ又はＬＡＹＥＲ組３はＲＡＮＫ又はＬＡＹＥＲ＝｛５〜８｝であるか、或いは、ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１〜４｝で、ＲＡＮＫ又はＬＡＹＥＲ組３はＲＡＮＫ又はＬＡＹＥＲ＝｛１〜８｝であるか、或いは、ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３，４｝であるか、或いは、ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３〜８｝であるか、或いは、ＲＡＮＫ又はＬＡＹＥＲ組１はＲＡＮＫ又はＬＡＹＥＲ＝｛１｝で、ＲＡＮＫ又はＬＡＹＥＲ組２は｛２〜４｝で、ＲＡＮＫ又はＬＡＹＥＲ組２は｛５，８｝であってもよい。
【００４０】
本発明の他の一態様によると、基地局側にあるチャネル情報の設定装置であって、１つのチャネル状態情報ＣＳＩプロセスに、前記Ｑ個のＣＳＩ測定スレッドのチャネル測定の実行に用いられるＰ１個（Ｐ１は０より大きい整数である）のチャネル測定基準信号と、前記Ｑ個のＣＳＩ測定スレッドの干渉測定の実行に用いられるＰ２個（Ｐ２は０より大きい整数である）の干渉測定リソースを設定するように構成された第４の設定モジュールを含み、前記Ｐ１と前記Ｐ２の中の少なくとも１つが１より大きいチャネル情報の設定装置を提供する。
【００４１】
本発明の実施形態の他の一態様によると、端末側にあり、１つのＣＳＩプロセスに対応するＱ個のＣＳＩ測定スレッドの設定情報を取得するように構成された取得モジュールを備えるチャネル情報のフィードバック装置であって、前記設定情報は前記Ｑ個のＣＳＩ測定スレッドのチャネル測定の実行に用いられるＰ１個（Ｐ１は０より大きい整数である）のチャネル測定基準信号と、前記Ｑ個のＣＳＩ測定スレッドの干渉測定の実行に用いられるＰ２個（Ｐ２は０より大きい整数である）の干渉測定リソースを含み、前記端末が前記Ｐ１個のチャネル測定基準信号と前記Ｐ２個の干渉測定リソースに基づいて前記Ｑ個のＣＳＩ測定スレッドにＣＳＩ測定及びＣＳＩフィードバック操作を実行して、ＣＳＩ測定及びＣＳＩフィードバック操作が実行された前記Ｑ個のＣＳＩ測定スレッドからＹ個のＣＳＩ測定スレッドを選択するように構成された選択モジュールを備えるチャネル情報のフィードバック装置を提供する。
【００４２】
また、前記Ｑ個のＣＳＩ測定スレッドに対応するチャネル測定基準信号は同じで、前記Ｑ個のＣＳＩ測定スレッドの中の少なくとも二つのＣＳＩ測定スレッドに対応する干渉測定リソースは異なってもよい。
【００４３】
また、前記Ｑ個のＣＳＩ測定スレッドに対応する干渉リソース測定基準信号は同じで、前記Ｑ個のＣＳＩ測定スレッドの中の少なくとも二つのＣＳＩ測定スレッドに対応する干渉測定リソースは異なってもよい。
【００４４】
また、前記Ｑ個のＣＳＩ測定スレッドに対応するチャネル測定基準信号には、少なくとも２種類の異なるタイプの基準信号が存在してもよい。
【００４５】
また、前記設定情報は、ＣＳＩの量子化及び／又はフィードバック方法をさらに含んでもよい。
【００４６】
また、前記ＣＳＩの量子化及び／又はフィードバック方法が、チャネルのランクＲＡＮＫ又はＬＡＹＥＲの計算方法と、ランク指標ＲＩの計算方法と、使用するコードブック量子化方法と、ＣＳＩのフィードバックモードの中の少なくとも１つを含んでもよい。
【００４７】
また、前記Ｑ個のＣＳＩ測定スレッドに少なくとも、それぞれＸ個のＲＡＮＫ又はＬＡＹＥＲ組のチャネル情報のフィードバックに用いられるＸ個のＣＳＩ測定スレッドが存在してもよい。
【００４８】
また、前記Ｘが２である場合、
ＲＡＮＫ又はＬＡＹＥＲ組１はＲＡＮＫ＝｛１，２｝又はＬＡＹＥＲ＝｛１，２｝で、ＲＡＮＫ又はＬＡＹＥＲ組２はＲＡＮＫ又はＬＡＹＥＲ＝｛３，４｝であるか、或いは、ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１，２，３，４｝であるか、或いは、ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３〜８｝であるか、或いは、ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛５〜８｝であるか、或いは、ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛１〜８｝であるか、或いは、ＲＡＮＫ又はＬＡＹＥＲ組１はＲＡＮＫ又はＬＡＹＥＲ＝｛１｝で、ＲＡＮＫ又はＬＡＹＥＲ組２はＲＡＮＫ又はＬＡＹＥＲ＝｛２｝  ｏｒ  ＲＡＮＫ又はＬＡＹＥＲ＝｛２〜４｝  ｏｒ｛２〜８｝  ｏｒ｛１〜２｝  ｏｒ｛１〜４｝ｏｒ｛１〜８｝であって、
前記Ｘが３である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝で、ＲＡＮＫ又はＬＡＹＥＲ組３はＲＡＮＫ又はＬＡＹＥＲ＝｛５〜８｝であるか、或いは、ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１〜４｝で、ＲＡＮＫ又はＬＡＹＥＲ組３はＲＡＮＫ又はＬＡＹＥＲ＝｛１〜８｝であるか、或いは、ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３，４｝であるか、或いは、ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３〜８｝であるか、或いは、ＲＡＮＫ又はＬＡＹＥＲ組１はＲＡＮＫ又はＬＡＹＥＲ＝｛１｝で、ＲＡＮＫ又はＬＡＹＥＲ組２は｛２〜４｝で、ＲＡＮＫ又はＬＡＹＥＲ組２は｛５，８｝であってもよい。
【発明の効果】
【００４９】
本発明の実施形態によれば、１つのチャネル状態情報ＣＳＩプロセスにＱ個の同ＣＳＩ測定スレッドを設定し、該基地局がさらにＱ個のＣＳＩ測定スレッドにＰ１個のチャネル測定基準信号とＰ２個の干渉測定リソースを設定する構成とすることで、即ち、複数のスレッドを設定し、該複数のスレッドにチャネル測定基準信号と干渉測定リソースを設定することで、多様なチャネル情報の測定を実現し、既存技術において基準信号の測定やフィードバック技術が柔軟性に欠けている問題を解決した。
【図面の簡単な説明】
【００５０】
ここで説明する図面は本発明を一層理解させるためのもので、本願の一部を構成し、本発明に示す実施形態及びその説明は本発明を解釈するもので、本発明を限定するものではない。
【図１】本発明の実施形態に係るチャネル情報の設定方法を示すフローチャートである。
【図２】本発明の実施形態に係るチャネル情報のフィードバック方法を示すフローチャートである。
【図３】本発明の実施形態に係るチャネル情報の設定装置の構成を示すブロック図である。
【図４】本発明の実施形態に係るチャネル情報のフィードバック装置の構成を示すブロック図である。
【発明を実施するための形態】
【００５１】
尚、矛盾しない限り、本願の実施形態及び実施形態中の特徴は互いに組み合わせられることができる。以下、図面を参照しつつ実施形態を結合して本発明を詳しく説明する。
【００５２】
本実施形態においてチャネル情報の設定方法を提供し、図１は本発明の実施形態に係るチャネル情報の設定方法を示すフローチャートで、図１に示すように、該方法はステップＳ１０２〜ステップＳ１０４を含む。
【００５３】
ステップＳ１０２において、基地局が１つのチャネル状態情報ＣＳＩプロセスにＱ個の同ＣＳＩ測定スレッドを設定し、ここで、Ｑは２以上の整数である。
【００５４】
ステップＳ１０４において、基地局がＱ個のＣＳＩ測定スレッドにＰ１個のチャネル測定基準信号とＰ２個の干渉測定リソースを設定し、ここで、Ｐ１個のチャネル測定基準信号はＱ個のＣＳＩ測定スレッドのチャネル測定の実行に用いられ、Ｐ２個の干渉測定リソースはＱ個のＣＳＩ測定スレッドの干渉測定の実行に用いられ、Ｐ１とＰ２は０より大きい整数である。
【００５５】
本実施形態の上記ステップＳ１０２〜ステップＳ１０４によれば、１つのチャネル状態情報ＣＳＩプロセスにＱ個の同ＣＳＩ測定スレッドを設定し、そして該基地局がさらにＱ個のＣＳＩ測定スレッドにＰ１個のチャネル測定基準信号とＰ２個の干渉測定リソースを設定する構成とすることで、即ち、複数のスレッドを設定し、該複数のスレッドにチャネル測定基準信号と干渉測定リソースを設定することで、多様なチャネル情報の測定を実現し、既存技術において基準信号の測定やフィードバック技術が柔軟性に欠けている問題を解決できる。
【００５６】
また、本実施形態中のチャネル測定基準信号と干渉測定リソースに基づいて、本実施形態の選択可能な実施例において、Ｑ個のＣＳＩ測定スレッドとチャネル測定基準信号及び干渉測定リソースとが以下のような対応方式にあってもよい。
【００５７】
方式１：Ｑ個のＣＳＩ測定スレッドに対応するチャネル測定基準信号は同じで、Ｑ個のＣＳＩ測定スレッドの中の少なくとも二つのＣＳＩ測定スレッドに対応する干渉測定リソースは異なる。
【００５８】
方式２：Ｑ個のＣＳＩ測定スレッドに対応する干渉リソース測定基準信号は同じで、Ｑ個のＣＳＩ測定スレッドの中の少なくとも二つのＣＳＩ測定スレッドに対応する干渉測定リソースは異なる。
【００５９】
方式３：Ｑ個のＣＳＩ測定スレッドに対応するチャネル測定基準信号には、少なくとも２種類の異なるタイプの基準信号が存在する。
【００６０】
本実施形態の他の選択可能な実施例において、基地局がＱ個のＣＳＩ測定スレッドにＣＳＩの量子化及び／又はフィードバック方法を設定するステップをさらに含むことができる。
【００６１】
本実施形態の応用シーンにおいて、基地局がＱ個のＣＳＩ測定スレッドにＣＳＩの量子化及び／又はフィードバック方法を設定することは、以下のような設定操作１〜４の中の少なくとも１つを含む。
【００６２】
設定操作１：基地局がＱ個のＣＳＩ測定スレッドにチャネルのランクＲＡＮＫ又は伝送層数ＬＡＹＥＲの計算方法を設定すること、
設定操作２：基地局がＱ個のＣＳＩ測定スレッドにランク指標ＲＩの計算方法を設定すること、及び／又は、
設定操作３：基地局がＱ個のＣＳＩ測定スレッドに使用するコードブック量子化方法を設定すること、
設定操作４：基地局がＱ個のＣＳＩ測定スレッドにＣＳＩのフィードバックモードを設定すること。
【００６３】
上記設定操作について、Ｑ個のＣＳＩ測定スレッドには、それぞれＸ個のＲＡＮＫ又はＬＡＹＥＲ組のチャネル情報のフィードバックに用いられる少なくともＸ個のＣＳＩ測定スレッドが存在する。
【００６４】
例えば、Ｘが２である場合、
ＲＡＮＫ又はＬＡＹＥＲ組１はＲＡＮＫ＝｛１，２｝又はＬＡＹＥＲ＝｛１，２｝で、ＲＡＮＫ又はＬＡＹＥＲ組２はＲＡＮＫ又はＬＡＹＥＲ＝｛３，４｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１，２，３，４｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３〜８｝であるか、或いは、
ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛５〜８｝であるか、或いは、
ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛１〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２はＲＡＮＫ又はＬＡＹＥＲ＝｛２｝  ｏｒ  ＲＡＮＫ又はＬＡＹＥＲ＝｛２〜４｝  ｏｒ  ｛２〜８｝  ｏｒ  ｛１〜２｝  ｏｒ  ｛１〜４｝ｏｒ  ｛１〜８｝であって、
Ｘが３である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝で、ＲＡＮＫ又はＬＡＹＥＲ組３はＲＡＮＫ又はＬＡＹＥＲ＝｛５〜８｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１〜４｝で、ＲＡＮＫ又はＬＡＹＥＲ組３はＲＡＮＫ又はＬＡＹＥＲ＝｛１〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３，４｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２〜４｝で、ＲＡＮＫ又はＬＡＹＥＲ組２は｛５，８｝である。
【００６５】
そして、本実施形態においてチャネル情報の設定方法をさらに提供し、該方法は、基地局が１つのチャネル状態情報ＣＳＩプロセスにＰ１個のチャネル測定基準信号とＰ２個の干渉測定リソースを設定することを含み、ここで、Ｐ１個のチャネル測定基準信号はＱ個のＣＳＩ測定スレッドのチャネル測定の実行に用いられ、Ｐ２個の干渉測定リソースはＱ個のＣＳＩ測定スレッドの干渉測定の実行に用いられ、Ｐ１とＰ２は０より大きい整数であって、Ｐ１とＰ２の中の少なくとも１つが１より大きい。
【００６６】
上記方式によって、該設定方法において基地局が１つのＣＳＩプロセスにＰ１個のチャネル測定基準信号とＰ２個の干渉測定リソースを直接に設定することで、即ち、１つのＣＳＩプロセスにチャネル測定基準信号と干渉測定リソースを設定することで、多様なチャネル情報の測定を実現し、既存技術において基準信号の測定やフィードバック技術が柔軟性に欠けている問題を解決できる。
【００６７】
図２は本発明の実施形態に係るチャネル情報のフィードバック方法を示すフローチャートで、図２に示すように、該方法はステップＳ２０２〜ステップＳ２０４を含む。
【００６８】
ステップＳ２０２において、端末が１つのＣＳＩプロセスに対応するＱ個のＣＳＩ測定スレッドの設定情報を取得する。
【００６９】
ここで、設定情報は、基地局がＱ個のＣＳＩ測定スレッドにＰ１個のチャネル測定基準信号とＰ２個の干渉測定リソースを設定し、ここで、Ｐ１個のチャネル測定基準信号はＱ個のＣＳＩ測定スレッドのチャネル測定の実行に用いられ、Ｐ２個の干渉測定リソースはＱ個のＣＳＩ測定スレッドの干渉測定の実行に用いられ、Ｐ１とＰ２は０より大きい整数である。
【００７０】
ステップＳ２０２において、端末がＰ１個のチャネル測定基準信号とＰ２個の干渉測定リソースに基づいて、Ｑ個のＣＳＩ測定スレッドにＣＳＩ測定及びＣＳＩフィードバック操作を実行し、ＣＳＩ測定及びＣＳＩフィードバック操作が実行された後のＱ個のＣＳＩ測定スレッドからＹ個のＣＳＩ測定スレッドを選択する。
【００７１】
上記ステップＳ２０２とステップＳ２０４によって、端末側が極めて優れたフィードバック柔軟性を有することになり、単一スレッドの場合にロバスト性が悪く、性能が不良である問題を回避できる。
【００７２】
また、本実施形態中のチャネル測定基準信号と干渉測定リソースに基づいて、本実施形態の選択可能な実施例において、Ｑ個のＣＳＩ測定スレッドとチャネル測定基準信号及び干渉測定リソースとが以下のような対応方式にあってもよい。
【００７３】
方式１：Ｑ個のＣＳＩ測定スレッドに対応するチャネル測定基準信号は同じで、Ｑ個のＣＳＩ測定スレッドの中の少なくとも二つのＣＳＩ測定スレッドに対応する干渉測定リソースは異なる。
【００７４】
方式２：Ｑ個のＣＳＩ測定スレッドに対応する干渉リソース測定基準信号は同じで、Ｑ個のＣＳＩ測定スレッドの中の少なくとも二つのＣＳＩ測定スレッドに対応する干渉測定リソースは異なる。
【００７５】
方式３：Ｑ個のＣＳＩ測定スレッドに対応するチャネル測定基準信号には、少なくとも２種類の異なるタイプの基準信号が存在する。
【００７６】
また、本実施形態に係る設定操作は、基地局がＱ個のＣＳＩ測定スレッドにＣＳＩの量子化及び／又はフィードバック方法を設定することをさらに含んでもよく、ここで、ＣＳＩの量子化及び／又はフィードバック方法は、ＲＡＮＫ又はＬＡＹＥＲの計算方法、ランク指標ＲＩの計算方法、使用するコードブック量子化方法、ＣＳＩのフィードバックモードの中の少なくとも１つを含む。
【００７７】
上述した設定の方法について、Ｑ個のＣＳＩ測定スレッドには、それぞれＸ個のＲＡＮＫ又はＬＡＹＥＲ組のチャネル情報のフィードバックに用いられる少なくともＸ個のＣＳＩ測定スレッドが存在する。
【００７８】
例えば、Ｘが２である場合、
ＲＡＮＫ又はＬＡＹＥＲ組１はＲＡＮＫ＝｛１，２｝又はＬＡＹＥＲ＝｛１，２｝で、ＲＡＮＫ又はＬＡＹＥＲ組２はＲＡＮＫ又はＬＡＹＥＲ＝｛３，４｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１，２，３，４｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３〜８｝であるか、或いは、
ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛５〜８｝であるか、或いは、
ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛１〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２はＲＡＮＫ又はＬＡＹＥＲ＝｛２｝  ｏｒ  ＲＡＮＫ又はＬＡＹＥＲ＝｛２〜４｝  ｏｒ｛２〜８｝  ｏｒ｛１〜２｝  ｏｒ｛１〜４｝ｏｒ｛１〜８｝であって、
Ｘが３である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝で、ＲＡＮＫ又はＬＡＹＥＲ組３はＲＡＮＫ又はＬＡＹＥＲ＝｛５〜８｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１〜４｝で、ＲＡＮＫ又はＬＡＹＥＲ組３はＲＡＮＫ又はＬＡＹＥＲ＝｛１〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３，４｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２〜４｝で、ＲＡＮＫ又はＬＡＹＥＲ組２は｛５，８｝である。
【００７９】
本実施形態においてチャネル情報の設定装置及びフィードバック装置をさらに提供し、該装置は上記実施形態及び選択可能な実施例を実現するためのものであって、既に説明した部分の説明は省略する。以下の説明で使用される用語「モジュール」は所定の機能を実現可能なソフトウェア及び／又はハードウェアの組み合わせである。以下の実施形態で説明する装置をソフトウェアで実現することが好ましいが、ハードウェア又はソフトウェアとハードウェアの組み合わせで実現することも可能である。
【００８０】
図３は本発明の実施形態に係るチャネル情報の設定装置の構成を示すブロック図で、該装置は基地局側に位置し、図３に示すように、該装置は、１つのチャネル状態情報ＣＳＩプロセスにＱ個（Ｑは２以上の整数）のＣＳＩ測定スレッドを設定するように構成された第１の設定モジュール３２と、第１の設定モジュールに結合され、Ｑ個のＣＳＩ測定スレッドにＰ１個のチャネル測定基準信号とＰ２個の干渉測定リソースを設定するように構成された第２の設定モジュール３４と、を含み、ここで、Ｐ１個のチャネル測定基準信号はＱ個のＣＳＩ測定スレッドのチャネル測定の実行に用いられ、Ｐ２個の干渉測定リソースはＱ個のＣＳＩ測定スレッドの干渉測定の実行に用いられ、Ｐ１とＰ２は０より大きい整数である。
【００８１】
尚、該装置において、第１の設定モジュール３２はさらに、１つのチャネル状態情報ＣＳＩプロセスにＰ１個のチャネル測定基準信号とＰ２個の干渉測定リソースを設定するように構成されることができ、ここで、Ｐ１個のチャネル測定基準信号はＱ個のＣＳＩ測定スレッドのチャネル測定の実行に用いられ、Ｐ２個の干渉測定リソースはＱ個のＣＳＩ測定スレッドの干渉測定の実行に用いられ、Ｐ１とＰ２は０より大きい整数であって、Ｐ１とＰ２の中の少なくとも１つが１より大きい。
【００８２】
即ち、第１の設定モジュール３２が１つのチャネル状態情報ＣＳＩプロセスにＰ１個のチャネル測定基準信号とＰ２個の干渉測定リソースを直接に設定して、同様に、既存技術において基準信号の測定やフィードバック技術が柔軟性に欠けている問題を解決することができる。
【００８３】
また、本実施形態中のチャネル測定基準信号と干渉測定リソースに基づいて、本実施形態の選択可能な実施例において、Ｑ個のＣＳＩ測定スレッドとチャネル測定基準信号及び干渉測定リソースとが以下のような対応方式にあってもよい。
【００８４】
方式１：Ｑ個のＣＳＩ測定スレッドに対応するチャネル測定基準信号は同じで、Ｑ個のＣＳＩ測定スレッドの中の少なくとも二つのＣＳＩ測定スレッドに対応する干渉測定リソースは異なる。
【００８５】
方式２：Ｑ個のＣＳＩ測定スレッドに対応する干渉リソース測定基準信号は同じで、Ｑ個のＣＳＩ測定スレッドの中の少なくとも二つのＣＳＩ測定スレッドに対応する干渉測定リソースは異なる。
【００８６】
方式３：Ｑ個のＣＳＩ測定スレッドに対応するチャネル測定基準信号には、少なくとも２種類の異なるタイプの基準信号が存在する。
【００８７】
また、本実施形態の装置は、Ｑ個のＣＳＩ測定スレッドにＣＳＩの量子化及び／又はフィードバック方法を設定するように構成された第３の設定モジュールをさらに含んでもよい。
【００８８】
ここで、該第３の設定モジュールはさらに、基地局がＱ個のＣＳＩ測定スレッドにＲＡＮＫ又はＬＡＹＥＲの計算方法、及び／又は、ランク指標ＲＩの計算方法、及び／又は、使用するコードブック量子化方法、及び／又は、ＣＳＩのフィードバックモードを設定するように構成される。
【００８９】
上記かかるＱ個のＣＳＩ測定スレッドには、それぞれＸ個のＲＡＮＫ又はＬＡＹＥＲ組のチャネル情報のフィードバックに用いられる少なくともＸ個のＣＳＩ測定スレッドが存在する。
【００９０】
例えば、Ｘが２である場合、
ＲＡＮＫ又はＬＡＹＥＲ組１はＲＡＮＫ＝｛１，２｝又はＬＡＹＥＲ＝｛１，２｝で、ＲＡＮＫ又はＬＡＹＥＲ組２はＲＡＮＫ又はＬＡＹＥＲ＝｛３，４｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１，２，３，４｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３〜８｝であるか、或いは、
ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛５〜８｝であるか、或いは、
ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛１〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２はＲＡＮＫ又はＬＡＹＥＲ＝｛２｝  ｏｒ  ＲＡＮＫ又はＬＡＹＥＲ＝｛２〜４｝  ｏｒ｛２〜８｝  ｏｒ｛１〜２｝  ｏｒ｛１〜４｝ｏｒ｛１〜８｝であって、
Ｘが３である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝で、ＲＡＮＫ又はＬＡＹＥＲ組３はＲＡＮＫ又はＬＡＹＥＲ＝｛５〜８｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１〜４｝で、ＲＡＮＫ又はＬＡＹＥＲ組３はＲＡＮＫ又はＬＡＹＥＲ＝｛１〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３，４｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２〜４｝で、ＲＡＮＫ又はＬＡＹＥＲ組２は｛５，８｝である。
【００９１】
図４は本発明の実施形態に係るチャネル情報のフィードバック装置の構成を示すブロック図で、該装置は端末側にあり、図４に示すように、該装置は、取得モジュール４２と、選択モジュール４４とを含み、取得モジュール４２は、１つのＣＳＩプロセスに対応するＱ個のＣＳＩ測定スレッドの設定情報を取得し、ここで、設定情報はＰ１個のチャネル測定基準信号とＰ２個の干渉測定リソースを含み、Ｐ１個のチャネル測定基準信号はＱ個のＣＳＩ測定スレッドのチャネル測定の実行に用いられ、Ｐ２個の干渉測定リソースはＱ個のＣＳＩ測定スレッドの干渉測定の実行に用いられ、Ｐ１とＰ２は０より大きい整数であり、選択モジュール４４は、受信モジュール４２に結合され、Ｐ１個のチャネル測定基準信号とＰ２個の干渉測定リソースに基づいて、Ｑ個のＣＳＩ測定スレッドにＣＳＩ測定及びＣＳＩフィードバック操作を実行し、ＣＳＩ測定及びＣＳＩフィードバック操作が実行された後のＱ個のＣＳＩ測定スレッドからＹ個のＣＳＩ測定スレッドを選択する。
【００９２】
また、本実施形態中のチャネル測定基準信号と干渉測定リソースに基づいて、本実施形態の選択可能な実施例において、Ｑ個のＣＳＩ測定スレッドとチャネル測定基準信号及び干渉測定リソースとが以下のような対応方式にあってもよい。
【００９３】
方式１：Ｑ個のＣＳＩ測定スレッドに対応するチャネル測定基準信号は同じで、Ｑ個のＣＳＩ測定スレッドの中の少なくとも二つのＣＳＩ測定スレッドに対応する干渉測定リソースは異なる。
【００９４】
方式２：Ｑ個のＣＳＩ測定スレッドに対応する干渉リソース測定基準信号は同じで、Ｑ個のＣＳＩ測定スレッドの中の少なくとも二つのＣＳＩ測定スレッドに対応する干渉測定リソースは異なる。
【００９５】
方式３：Ｑ個のＣＳＩ測定スレッドに対応するチャネル測定基準信号には、少なくとも２種類の異なるタイプの基準信号が存在する。
【００９６】
また、設定操作は、基地局がＱ個のＣＳＩ測定スレッドにＣＳＩの量子化及び／又はフィードバック方法を設定することをさらに含み、ここで、ＣＳＩの量子化及び／又はフィードバック方法は、ＲＡＮＫ又はＬＡＹＥＲの計算方法と、ランク指標ＲＩの計算方法と、使用するコードブック量子化方法と、ＣＳＩのフィードバックモードの中の少なくとも１つを含む。
【００９７】
本実施形態に係るＱ個のＣＳＩ測定スレッドには、それぞれＸ個のＲＡＮＫ又はＬＡＹＥＲ組のチャネル情報のフィードバックに用いられる少なくともＸ個のＣＳＩ測定スレッドが存在する。
【００９８】
例えば、Ｘが２である場合、
ＲＡＮＫ又はＬＡＹＥＲ組１はＲＡＮＫ＝｛１，２｝又はＬＡＹＥＲ＝｛１，２｝で、ＲＡＮＫ又はＬＡＹＥＲ組２はＲＡＮＫ又はＬＡＹＥＲ＝｛３，４｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１，２，３，４｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３〜８｝であるか、或いは、
ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛５〜８｝であるか、或いは、
ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛１〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２はＲＡＮＫ又はＬＡＹＥＲ＝｛２｝  ｏｒ  ＲＡＮＫ又はＬＡＹＥＲ＝｛２〜４｝  ｏｒ｛２〜８｝  ｏｒ｛１〜２｝  ｏｒ｛１〜４｝ｏｒ｛１〜８｝であって、
Ｘが３である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝で、ＲＡＮＫ又はＬＡＹＥＲ組３はＲＡＮＫ又はＬＡＹＥＲ＝｛５〜８｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１〜４｝で、ＲＡＮＫ又はＬＡＹＥＲ組３はＲＡＮＫ又はＬＡＹＥＲ＝｛１〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３，４｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２〜４｝でＲＡＮＫ又はＬＡＹＥＲ組２は｛５，８｝である。
【００９９】
以下、本発明の選択可能な実施例を結合して、本発明を説明する。
【０１００】
この選択可能な実施例を基地局側で採用する場合はステップＳ３０２〜ステップＳ３０４を含む。
【０１０１】
ステップＳ３０２において、基地局が１つのＣＳＩ  (Ｐｒｏｃｅｓｓ)プロセスにＱ個の同ＣＳＩ測定スレッドを設定し、ここで、Ｑ≧２である。
【０１０２】
ステップＳ３０４において、基地局がさらに、Ｑ個のスレッドにＰ１個のチャネル測定基準信号を設定し、Ｑ個のスレッドにＰ２個の干渉測定リソースを設定し、Ｐ１、Ｐ２は０より大きい整数である。
【０１０３】
端末の場合、端末はＱ個のスレッドからＹ個のスレッドを選択し、Ｙ個のスレッドの対応する設定に従い、ＣＳＩ測定及びＣＳＩフィードバックを行い、ここで、Ｙ＜Ｑである。
【０１０４】
そして、該端末は、基地局にＹ個のスレッドの選択情報をフィードバックし、ここで、該Ｙは１であることができる。
【０１０５】
そして、この選択可能な実施例における基地局はさらに、Ｑ個のスレッドにＣＳＩの量子化及び／又はフィードバック方法を設定することもでき、
ここで、ＣＳＩの量子化及び／又はフィードバック方法を設定することは、基地局がＱ個のスレッドにＣＱＩの計算方法を設定することと、基地局がＱ個のスレッドにＲＡＮＫ又はＬＡＹＥＲの計算方法を設定することと、基地局がＱ個のスレッドに使用するコードブック量子化方法を設定することと、基地局がＱ個のスレッドにＣＳＩのフィードバックモードを設定することの中の少なくとも１つを含む。
【０１０６】
オプションとして、この選択可能な実施例において、基地局はＱ個のＣＳＩ測定スレッドにＰ１セットのチャネル測定基準信号を設定し、Ｑ≧Ｐ１＞１であり、Ｐ１セットの基準信号はＱ個のＣＳＩ測定スレッドのチャネル測定に用いられ、
また、基地局は少なくともＱ個のＣＳＩ測定スレッドにＰ２セットの干渉測定リソースを設定し、Ｑ≧Ｐ２＞１であり、Ｐ２セットの干渉測定リソースはＱ個のＣＳＩ測定スレッドの干渉測定に用いられる。
【０１０７】
これに基づいて、この選択可能な実施例におけるＱ個のＣＳＩ測定スレッドとチャネル測定基準信号及び干渉測定リソースとの対応関係は、
Ｑ個のＣＳＩ測定スレッドに対応するチャネル測定基準信号は同じで、Ｑ個のＣＳＩ測定スレッドの中の少なくとも二つのスレッドに対応する干渉測定リソースは異なるか、或いは、
Ｑ個のＣＳＩ測定スレッドに対応する干渉リソース測定基準信号は同じで、Ｑ個のＣＳＩ測定スレッドの中の少なくとも二つのスレッドに対応する干渉測定リソースは異なるか、或いは、
Ｑ個のＣＳＩ測定スレッドに対応するチャネル測定基準信号には、少なくとも２種類の異なるタイプの基準信号が存在する（例えば、プリコーディング基準信号／非プリコーディング基準信号）ことであってもよい。
【０１０８】
上記Ｑ個のＣＳＩ測定スレッドには、それぞれＸ個のＲＡＮＫ又はＬＡＹＥＲ組のチャネル情報のフィードバックに用いられる少なくともＸ個のスレッドが存在する。
【０１０９】
該Ｘが２である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝であるか、
或いは、ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１，２，３，４｝であるか、
或いは、ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３〜８｝であるか、
或いは、ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛５〜８｝であるか、
或いは、ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛１〜８｝であるか、
或いは、ＲＡＮＫ又はＬＡＹＥＲ組１はＲＡＮＫ又はＬＡＹＥＲ＝｛１｝で、ＲＡＮＫ又はＬＡＹＥＲ組２はＲＡＮＫ又はＬＡＹＥＲ＝｛２｝  ｏｒ  ＲＡＮＫ又はＬＡＹＥＲ＝｛２〜４｝  ｏｒ  ｛２〜８｝  ｏｒ  ｛１〜２｝  ｏｒ  ｛１〜４｝  ｏｒ  ｛１〜８｝であって、
該Ｘが３である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝で、ＲＡＮＫ又はＬＡＹＥＲ組３はＲＡＮＫ又はＬＡＹＥＲ＝｛５〜８｝であって、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１〜４｝で、ＲＡＮＫ又はＬＡＹＥＲ組３はＲＡＮＫ又はＬＡＹＥＲ＝｛１〜８｝であって、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３，４｝であって、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３〜８｝であって、
ＲＡＮＫ又はＬＡＹＥＲ組１はＲＡＮＫ又はＬＡＹＥＲ＝｛１｝で、ＲＡＮＫ又はＬＡＹＥＲ組２は｛２〜４｝で、ＲＡＮＫ又はＬＡＹＥＲ組２は｛５，８｝である。
【０１１０】
尚、複数のＣＳＩプロセスに対応するスレッドパラメータは単独に設定することができ、複数のＣＳＩプロセスに対応するスレッド数ＣＱＩはそれぞれ設定することができる。
【０１１１】
また、この選択可能な実施例においてさらにチャネル情報ＣＳＩのフィードバック方法を提供し、端末側から該方法を説明し、該方法は、以下のステップを含む。
【０１１２】
端末が１つのＣＳＩフィードバック(Ｐｒｏｃｅｓｓ)プロセスに対応するＱ個のＣＳＩ測定スレッド（ｔｈｒｅａｄ）の設定情報を取得する。Ｑ≧２である。
【０１１３】
Ｑ個のＣＳＩ測定スレッド設定情報は少なくとも、Ｐ１個のチャネル測定基準信号、Ｐ２個の干渉測定リソース設定を含み、Ｐ１、Ｐ２は０より大きい整数である。
【０１１４】
端末が、Ｑ個のＣＳＩ測定スレッドからＹ個のスレッドを選択し、Ｙ個のスレッドの対応する設定に従い、ＣＳＩ測定及びＣＳＩフィードバックを行い、Ｙ＜Ｑである。
【０１１５】
端末が、基地局にＹ個のスレッドの選択情報をフィードバックし、ここで、Ｙ＝１であることができる。
【０１１６】
この選択可能な実施例において、Ｑ個のＣＳＩ測定スレッド設定情報はＣＳＩの量子化及び／又はフィードバック方法をさらに含み、
ここで、ＣＳＩの量子化方法はＣＱＩの計算方法を含み、ＣＳＩの量子化方法はＲＡＮＫ又はＬＡＹＥＲの計算方法を含み、ＣＳＩの量子化方法は使用するコードブック量子化方法を含み、ＣＳＩの量子化方法はＣＳＩのフィードバックモードを含む。
【０１１７】
そして、この選択可能な実施例の方法は、Ｑ個のＣＳＩ測定スレッドのチャネル測定は基地局が設定したＰ１（Ｑ≧Ｐ１＞１）セットのチャネル測定基準信号に基づき、
Ｑ個のＣＳＩ測定スレッドの干渉測定は基地局が設定したＰ２（Ｑ≧Ｐ２＞１）セットの干渉測定リソースに基づくことをさらに含み、
ここで、Ｑ個のＣＳＩ測定スレッドに対応するチャネル測定基準信号は同じで、Ｑ個のＣＳＩ測定スレッドの中の少なくとも二つのスレッドに対応する干渉測定リソースは異なっていて、
Ｑ個のＣＳＩ測定スレッドに対応する干渉リソース測定基準信号は同じで、Ｑ個のＣＳＩ測定スレッドの中の少なくとも二つのスレッドに対応する干渉測定リソースは異なっていて、
Ｑ個のＣＳＩ測定スレッドに対応するチャネル測定基準信号には、少なくとも２種類の異なるタイプの基準信号（プリコーディング基準信号／非プリコーディング基準信号）が存在する。
【０１１８】
尚、Ｑ個のＣＳＩ測定スレッドには、それぞれＸ個のＲＩ組のチャネル情報のフィードバックに用いられる少なくともＸ個のスレッドが存在する。
【０１１９】
該Ｘが２である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝であるか、
或いは、ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１，２，３，４｝であるか、
或いは、ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３〜８｝であるか、
或いは、ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛５〜８｝であるか、
或いは、ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛１〜８｝であるか、
或いは、ＲＡＮＫ又はＬＡＹＥＲ組１はＲＡＮＫ又はＬＡＹＥＲ＝｛１｝で、ＲＡＮＫ又はＬＡＹＥＲ組２はＲＡＮＫ又はＬＡＹＥＲ＝｛２｝  ｏｒ  ＲＡＮＫ又はＬＡＹＥＲ＝｛２〜４｝  ｏｒ  ｛２〜８｝  ｏｒ  ｛１〜２｝  ｏｒ  ｛１〜４｝ｏｒ  ｛１〜８｝であって、
Ｘが３である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝で、ＲＡＮＫ又はＬＡＹＥＲ組３はＲＡＮＫ又はＬＡＹＥＲ＝｛５〜８｝であって、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１〜４｝で、ＲＡＮＫ又はＬＡＹＥＲ組３はＲＡＮＫ又はＬＡＹＥＲ＝｛１〜８｝であって、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３，４｝であって、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３〜８｝であって、
ＲＡＮＫ又はＬＡＹＥＲ組１はＲＡＮＫ又はＬＡＹＥＲ＝｛１｝で、ＲＡＮＫ又はＬＡＹＥＲ組２は｛２〜４｝で、ＲＡＮＫ又はＬＡＹＥＲ組２は｛５，８｝である。
【０１２０】
本発明で説明した形態によれば、複数のスレッドによって多様なチャネル情報の測定を実現し、端末側が極めて良好なフィードバック柔軟性を有することになり、単一スレッドである場合にロバスト性が悪く、性能が不良である問題を回避し、フィードバックのオーバーヘッドを有効に抑制できる。
【０１２１】
以下、この選択可能な実施例の具体的な実施態様に基づいて、この選択可能な実施例を詳しく説明する。
【０１２２】
先ず、チャネル情報フィードバックの設定方法を説明すると、ステップＳ３０１〜Ｓ３０２を含む。
【０１２３】
ステップＳ３０１において、基地局が１つのＣＳＩフィードバック(Ｐｒｏｃｅｓｓ)プロセスにＱ個のＣＳＩ測定スレッド（ｔｈｒｅａｄ）を設定する。
【０１２４】
ここで、１つのＣＳＩ測定スレッドは、ＣＳＩ測定を完成するに必要な１セットのＣＳＩ測定設定に相当し、少なくとも、チャネル測定部分の設定、フィードバック測定部分の設定及びフィードバックモード等の他の設定を含む。
【０１２５】
既存技術におけるＣＳＩプロセスは、ＣＳＩプロセス（プロセスに基づくフィードバックリソースの割り当てが１つのＣＳＩ測定スレッドのみを含む）はチャネル測定部分と、干渉測定部分と、他の設定とを含む、と定義された。
【０１２６】
一方、この選択可能な実施例で提供するＣＳＩプロセスは、ＣＳＩプロセス（プロセスに基づいてフィードバックリソースを割り当てる）がそれぞれチャネル測定部分と、干渉測定部分と、他の設定とを含むＱ個のＣＳＩ測定スレッドを含む、と定義する。
【０１２７】
既存技術におけるＣＳＩプロセスの定義と異なっていて、既存技術におけるＣＳＩプロセスは１つのスレッドのみを含むと理解することができる。この選択可能な実施例で提供するＣＳＩプロセスは複数のスレッドを含み、各スレッドにそれに対応するチャネル測定と干渉測定及びフィードバックモード等の関連する設定を設定又は約定しなければならない。
【０１２８】
ステップＳ３０２において、端末がＱ個のＣＳＩ測定スレッドからＹ個のスレッドを選択し、Ｙ個のスレッドの対応する設定に従い、ＣＳＩ測定及びＣＳＩフィードバックを行い、ここで、Ｙ＜Ｑである。
【０１２９】
フィードバックリソースがプロセスに基づいて割り当てられるので、各スレッドが必ずフィードバックリソースに対応するとはいえなく、一部のスレッドのＣＳＩ測定後に得た量子化結果はフィードバックする必要があるが、一部のスレッドに対応するＣＳＩ測定結果はフィードバックする必要がない。
【０１３０】
基地局が端末に対しＱ個の同ＣＳＩ測定スレッドを設定し、ここでのＱ個のＣＳＩ測定スレッドは通常、Ｑ種類の異なる量子化及び／又はフィードバック方法に対応する。Ｑは１より大きい整数であって、これにより、多様なＣＳＩ測定とフィードバック間の動的選択を支援するが、複雑度が高くならないように、Ｑを２、３又は４に設定することができ、Ｑの値は基地局と端末とが予め約定したり、基地局がシグナルを介して基地局に設定することができる。ここで、異なるＣＳＩ  Ｐｒｏｃｅｓｓに対応するＱの値を単独に設定することができる。
【０１３１】
ここで、上記違いは、Ｑ個のＣＳＩ測定スレッドのチャネル測定上の違い、Ｑ個のＣＳＩ測定スレッドの干渉測定上の違い、Ｑ個のＣＳＩ測定スレッドのＣＳＩ量子化方法の違い、Ｑ個のＣＳＩ測定スレッドのＣＳＩフィードバック方法の違い、Ｑ個のＣＳＩ測定スレッドに対応するＲＡＮＫ又はＬＡＹＥＲ組の違いで表すことができる。
【０１３２】
上記この選択可能な実施例のチャネル情報の設定方法に基づいて、以下、異なる応用シーンでの具体的な実施例を説明する。
【０１３３】
選択可能な実施例１：各スレッドのチャネル測定方面の違い。
【０１３４】
例えば、設定した測定基準信号が異なっていて、ここでの測定基準信号の違いは、異なる基準信号ポート数、異なる基準信号パワー、異なる基準信号周期、異なる基準信号密度、異なる基準信号の周波数位置、異なる基準信号のタイプ等を含む。
【０１３５】
上述した測定基準信号の違いについて、２個のＣＳＩ測定スレッドを例に説明する。ここで：
Ａ）スレッド１に設定するポート数は
2018514165.tif 000017
で、スレッド２に設定するポート数は
2018514165.tif 000018
であって、ここで
2018514165.tif 000019
は等しくない正整数である。
【０１３６】
Ｂ）スレッド１に設定する送信パワーは
2018514165.tif 000020
で、スレッド２に設定する送信パワーは
2018514165.tif 000021
であって、ここで
2018514165.tif 000022
と
2018514165.tif 000023
は等しくない正数。
【０１３７】
Ｃ）スレッド１に設定する基準信号周期は
2018514165.tif 000024
で、スレッド２に設定する基準信号周期は
2018514165.tif 000025
であって、ここで
2018514165.tif 000026
と
2018514165.tif 000027
は等しくない正整数である。
【０１３８】
Ｄ）スレッド１の１つのリソースブロックでの基準信号ＲＥの数量を
2018514165.tif 000028
個に設定し、スレッド２の１つのリソースブロックでの基準信号ＲＥの数量を
2018514165.tif 000029
個に設定し、ここで
2018514165.tif 000030
は等しくない正整数である。
【０１３９】
Ｅ）スレッド１に設定する基準信号タイプはビーム基準信号で、スレッド２に設定する基準信号タイプは非ビーム基準信号である。
【０１４０】
Ｆ）スレッド１に設定するビーム基準信号のビームハーフパワー幅
2018514165.tif 000031
で、スレッド２に設定するビーム基準信号のビームハーフパワー幅は
2018514165.tif 000032
であって、ここで、
2018514165.tif 000033
と
2018514165.tif 000034
は異なる正数である。
【０１４１】
Ｇ）スレッド１の基準信号送信用アンテナ集合は
2018514165.tif 000035
で、スレッド２の基準信号送信用アンテナ集合は
2018514165.tif 000036
であって、ここで、
2018514165.tif 000037
と
2018514165.tif 000038
集合に少なくとも１つの異なる要素がある。
【０１４２】
Ｈ）スレッド１に設定するビーム基準信号を形成するビーム数量は
2018514165.tif 000039
個で、スレッド２に設定するビーム基準信号を形成するビーム数量は
2018514165.tif 000040
個であって、ここで、
2018514165.tif 000041
は等しくない正整数である。
【０１４３】
基地局は、Ｑ個のＣＳＩ測定スレッドを全て独立したチャネル測定となるように設定することができ、即ち、Ｑ個のＣＳＩ測定スレッドはＱセットのチャネル測定基準信号が設定されることができる。
【０１４４】
或いは、基地局は、Ｑ個のＣＳＩ測定スレッドを部分的に独立したチャネル測定となるように設定することができ、即ち、Ｑ個のＣＳＩ測定スレッドはＱセット未満のチャネル測定基準信号が設定されることができる。即ち、少なくとも二つのプロセスは同じなチャネル測定基準信号が設定される。
【０１４５】
最後に、まったく同じなチャネル測定も可能であるが、この時、他の面で異なっていなければならない。
【０１４６】
選択可能な実施例２：各スレッド干渉測定方面の違い。
【０１４７】
この選択可能な実施例２における干渉測定リソースの違いは、干渉測定ＲＥ数量の違い、干渉測定位置の違い、干渉測定リソースの周期の違い等を含む。
【０１４８】
該干渉測定リソースの違いについて、２個のＣＳＩ測定スレッドを例に説明する。
【０１４９】
Ａ）スレッド１に設定するポート数は
2018514165.tif 000042
で、スレッド２に設定するポート数は
2018514165.tif 000043
であって、ここで
2018514165.tif 000044
は等しくない正整数である。
【０１５０】
Ｂ）スレッド１に設定する送信パワーは
2018514165.tif 000045
で、スレッド２に設定する送信パワーは
2018514165.tif 000046
であって、ここで
2018514165.tif 000047
と
2018514165.tif 000048
は等しくない正数である。
【０１５１】
Ｃ）スレッド１に設定する基準信号周期は
2018514165.tif 000049
で、スレッド２に設定する基準信号周期は
2018514165.tif 000050
であって、ここで
2018514165.tif 000051
と
2018514165.tif 000052
は等しくない正整数である。
【０１５２】
Ｄ）スレッド１の１つのリソースブロックでの基準信号ＲＥの数量を
2018514165.tif 000053
個に設定し、スレッド２の１つのリソースブロックでの基準信号ＲＥの数量を
2018514165.tif 000054
個に設定し、ここで
2018514165.tif 000055
は等しくない正整数である。
【０１５３】
Ｅ）スレッド１に設定する基準信号のタイプはビーム基準信号で、スレッド２に設定する基準信号タイプは非ビーム基準信号である。
【０１５４】
Ｆ）スレッド１に設定するビーム基準信号のビームハーフパワー幅は
2018514165.tif 000056
で、スレッド２に設定するビーム基準信号のビームハーフパワー幅は
2018514165.tif 000057
で、ここで、
2018514165.tif 000058
と
2018514165.tif 000059
は異なる正数である。
【０１５５】
Ｇ）スレッド１の基準信号送信用アンテナ集合は
2018514165.tif 000060
で、スレッド２の基準信号送信用アンテナ集合は
2018514165.tif 000061
で、ここで、
2018514165.tif 000062
と
2018514165.tif 000063
集合に少なくとも１つの異なる要素がある。
【０１５６】
Ｈ）スレッド１に設定するビーム基準信号を形成するビームの数量は
2018514165.tif 000064
個で、スレッド２に設定するビーム基準信号を形成するビームの数量は
2018514165.tif 000065
個であって、ここで、
2018514165.tif 000066
は等しくない正整数である。
【０１５７】
基地局は、Ｑ個のＣＳＩ測定スレッドを全て独立した干渉測定となるように設定することができ、即ち、Ｑ個のＣＳＩ測定スレッドはＱセットの干渉測定基準信号が設定されることができる。
【０１５８】
或いは、基地局は、Ｑ個のＣＳＩ測定スレッドを部分的に独立した干渉測定となるように設定することができ、即ち、Ｑ個のＣＳＩ測定スレッドはＱセット未満の干渉測定基準信号が設定されることができる。即ち、少なくとも二つのプロセスは同じな干渉測定基準信号が設定される。
【０１５９】
最後に、この選択可能な実施例において、まったく同じな干渉測定も可能であるが、この時、他の方面で異なっていなければならない。
【０１６０】
選択可能な実施例３：各スレッドＣＳＩの量子化方法の違い。
【０１６１】
基地局がＱ個のＣＳＩ測定スレッドに異なるＣＱＩの計算方法を設定し、
例えば、スレッドｉのチャネル測定基準信号が４ポートのＣＳＩ−ＲＳであると、端末は４ポートの測定基準信号に基づいて、四つのポートが伝送ダイバーシティ技術で伝送するとして、スレッドｉの１つの伝送ダイバーシティＣＱＩを得、スレッドｊのチャネル測定基準信号が２ポートのＣＳＩ−ＲＳであると、端末は二つのポートの測定基準信号に基づいて、二つのポートが２層プリコーディング技術で伝送するとして、それに対応する二つのＣＱＩを得る。
【０１６２】
また、スレッドｉのチャネル測定基準信号が４ポートのＣＳＩ−ＲＳであると、端末は４ポートの測定基準信号に基づいて、四つのポートが伝送ダイバーシティ技術で伝送するとして、スレッドｉの１つの伝送ダイバーシティＣＱＩを得、スレッドｊのチャネル測定基準信号が４ポートのＣＳＩ−ＲＳであると、端末は四つのポートの測定基準信号に基づいて、四つのポートが４層プリコーディング技術で伝送するとして、それに対応する二つのＣＱＩを得ることもできる。
【０１６３】
また、スレッドｉのチャネル測定基準信号が４ポートのＣＳＩ−ＲＳであると、端末は４ポートの測定基準信号に基づいて、四つのポートが伝送ダイバーシティ技術で伝送するとして、スレッドｉの１つの伝送ダイバーシティＣＱＩを得、スレッドｊのチャネル測定基準信号が４ポートのＣＳＩ−ＲＳであると、端末は四つのポートに基づいてポート選択を行い、最適なポートを得て該ポートに対応するＣＱＩを報知する。
【０１６４】
基地局がＱ個のＣＳＩ測定スレッドに異なるＲＡＮＫ又はＬＡＹＥＲの計算方法を設定する。
【０１６５】
例えば、基地局が端末に対しスレッドｉのＲＡＮＫ又はＬＡＹＥＲを設定し、対応するＣＳＩ−ＲＳ基準信号中のポート数量又はＤＭＲＳ(データ専用復調基準信号)基準信号ポート数量によって計算して確定され、スレッドｊのＲＡＮＫ又はＬＡＹＥＲは基地局が現在のチャネル行列Ｈの最もふさわしい伝送層数に基づいて確定し、通常、閉ループプリコーディング伝送すると仮定し、端末が各種の層数の仮定を調査し、異なる伝送層の場合の性能を比較して、最適な伝送層数を選択する。
【０１６６】
基地局がＱ個のＣＳＩ測定スレッドに異なるコードブックモデルを設定する。
【０１６７】
例えば、スレッドｉのチャネル測定基準信号が１６ポートのＣＳＩ−ＲＳで、スレッドｊのチャネル測定基準信号も同じなＣＳＩ−ＲＳで、スレッドｋのチャネル測定基準信号も同じなＣＳＩ−ＲＳである。基地局は端末に対し、スレッドｉ、ｊ、ｋそれぞれについて以下のコードワードモデル１、２、３で量子化フィードバックを行うように設定し、ここで、モデル１はスレッドｉに対応し、モデル２はスレッドｊに対応し、モデル３はスレッドｋに対応する。
【０１６８】
2018514165.tif 000067
【０１６９】
基地局がＱ個のＣＳＩ測定スレッドに異なるコードブックフィードバック方法を設定する。
【０１７０】
例えば、スレッドｉのチャネル測定基準信号は８ポートのＣＳＩ−ＲＳで、スレッドｊのチャネル測定基準信号も同じなＣＳＩ−ＲＳで、スレッドｋのチャネル測定基準信号も同じなＣＳＩ−ＲＳである。基地局は端末に対し、スレッドｉ、ｊ、ｋそれぞれについて以下のコードブックフィードバック方法で量子化フィードバックを行うように設定する。
【０１７１】
スレッドｉ：ＬＴＥ−Ａ  Ｒｅｌ−１０バージョン中の８アンテナフィードバック方法を利用する。
【０１７２】
スレッドｊ：二つのコードブックに基づいてそれぞれ二つのコードワード行列ＤとＷをフィードバックし、コードワード行列Ｄはｄｉａｇｏｎａｌ行列で、プリコーディング幅情報を表し、コードワード行列Ｗはユニタリ行列で、且つ一定モジュラス行列であって、プリコーディング位相情報を表す。
【０１７３】
スレッドｋ：以下のモデル４に従ってフィードバックし、ｖ０、ｖ１、ｖ２、ｖ３、
2018514165.tif 000068
を含む各パラメータ情報をフィードバックする。
【０１７４】
2018514165.tif 000069
【０１７５】
基地局がＱ個のＣＳＩ測定スレッドに異なるコードブック精度を設定する。
【０１７６】
例えば、スレッドｉのチャネル測定基準信号は４ポートのＣＳＩ−ＲＳで、スレッドｊのチャネル測定基準信号も同じなＣＳＩ−ＲＳであり、基地局は端末に対し、スレッドｉ、ｊについてそれぞれ精度の異なるコードブックを使用するように設定する。
【０１７７】
スレッドｉ：４ｂｉｔのコードブック、各ＲＡＮＫ又はＬＡＹＥＲでのコードブックは１６個のコードワードを含む。
【０１７８】
スレッドｊ：６ｂｉｔのコードブック、各ＲＡＮＫ又はＬＡＹＥＲでのコードブックは６４個のコードワードを含む。
【０１７９】
さらに、例えば、スレッドｉのチャネル測定基準信号は８ポートのＣＳＩ−ＲＳで、スレッドｊのチャネル測定基準信号も同じなＣＳＩ−ＲＳであって、基地局は端末に対し、スレッドｉ、ｊについてそれぞれ精度の異なるコードブックを使用するように設定する。
【０１８０】
スレッドｉ：６ｂｉｔのコードブック、各ＲＡＮＫ又はＬＡＹＥＲでのコードブックは６４個のコードワードを含む。
【０１８１】
スレッドｊ：８ｂｉｔコードブック、各ＲＡＮＫ又はＬＡＹＥＲでのコードブックは２５６個のコードワードを含む。
【０１８２】
基地局はＱ個のＣＳＩ測定スレッドに異なるフィードバックパラメータの数量を設定する。
【０１８３】
スレッドｉのチャネル測定基準信号は１６ポートのＣＳＩ−ＲＳで、スレッドｊのチャネル測定基準信号も同じなＣＳＩ−ＲＳで、スレッドｋのチャネル測定基準信号も同じなＣＳＩ−ＲＳである。基地局は端末に対し、スレッドｉ、ｊ、ｋのいずれについても以下のコードワードモデル５で量子化フィードバックを行うように設定する。
【０１８４】
2018514165.tif 000070
【０１８５】
スレッドｉ：基地局はｖ０〜ｖ３を設定し、端末は
2018514165.tif 000071
に量子化フィードバックを行う。
【０１８６】
スレッドｊ：基地局は
2018514165.tif 000072
を設定し、端末はｖ０〜ｖ３に量子化フィードバックを行う。
【０１８７】
スレッドｋ：端末はｖ０〜ｖ３、
2018514165.tif 000073
に量子化フィードバックを行う。
【０１８８】
選択可能な実施例４：各スレッドＣＳＩのフィードバックモードの違い。
【０１８９】
スレッドｉのチャネル測定基準信号は８ポートの非プリコーディングＣＳＩ−ＲＳであり、スレッドｊのチャネル測定基準信号に２ポートのプリコーディングＣＳＩ−ＲＳが設定される。基地局は端末に対し、スレッドｉ、ｊについてそれぞれ以下のフィードバック内容が必要であることを設定する。
【０１９０】
スレッドｉ：ＲＡＮＫ又はＬＡＹＥＲ、ＰＭＩ、ＣＱＩの報知。
【０１９１】
スレッドｊ：ＲＡＮＫ又はＬＡＹＥＲとＣＱＩの報知。
【０１９２】
或いは、スレッドｉのチャネル測定基準信号は８ポートの非プリコーディングＣＳＩ−ＲＳであり、スレッドｊのチャネル測定基準信号に２ポートのプリコーディングＣＳＩ−ＲＳが設定される。基地局は端末に対し、スレッドｉ、ｊについてそれぞれ以下のフィードバック内容が必要であることを設定する。
【０１９３】
スレッドｉ：ＲＡＮＫ又はＬＡＹＥＲ、ＰＭＩ、ＣＱＩの報知。
【０１９４】
スレッドｊ：ＣＱＩの報知。
【０１９５】
或いは、スレッドｉのチャネル測定基準信号は４ポートのプリコーディングＣＳＩ−ＲＳであり、スレッドｊのチャネル測定基準信号に２ポートのプリコーディングＣＳＩ−ＲＳｎが設定される。基地局は端末に対し、スレッドｉ、ｊについてそれぞれ以下のフィードバック内容が必要であることを設定する。
【０１９６】
スレッドｉ：ＲＡＮＫ又はＬＡＹＥＲ、ＣＱＩ、ポート選択情報の報知。
【０１９７】
スレッドｊ：ＣＱＩの報知。
【０１９８】
或いは、スレッドｉのチャネル測定基準信号は４ポートのプリコーディングＣＳＩ−ＲＳであり、スレッドｊのチャネル測定基準信号に２ポートのプリコーディングＣＳＩ−ＲＳが設定される。基地局は端末に対し、スレッドｉ、ｊについてそれぞれ以下のフィードバック内容が必要であることを設定する。
【０１９９】
スレッドｉ：ＲＡＮＫ又はＬＡＹＥＲ、ＣＱＩの報知。
【０２００】
スレッドｊ：ＣＱＩの報知。
【０２０１】
選択可能な実施例５：各スレッドに対応するＲＡＮＫ又はＬＡＹＥＲ組の違い。
【０２０２】
ここで、Ｑ個のＣＳＩ測定スレッドには、それぞれＸ個のＲＡＮＫ又はＬＡＹＥＲ組のチャネル情報のフィードバックに用いられる少なくともＸ個のスレッドが存在する。
【０２０３】
該Ｘが２であることができる場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝であるか、
或いは、ＲＡＮＫ又はＬＡＹＥＲ組１はＲＡＮＫ又はＬＡＹＥＲ＝｛１｝で、ＲＡＮＫ又はＬＡＹＥＲ組２はＲＡＮＫ又はＬＡＹＥＲ＝｛２、３，４｝であるか、
或いは、ＲＡＮＫ又はＬＡＹＥＲ組１はＲＡＮＫ又はＬＡＹＥＲ＝｛１｝で、ＲＡＮＫ又はＬＡＹＥＲ組２はＲＡＮＫ又はＬＡＹＥＲ＝｛１〜４｝であるか、
或いは、ＲＡＮＫ又はＬＡＹＥＲ組１はＲＡＮＫ又はＬＡＹＥＲ＝｛１｝で、ＲＡＮＫ又はＬＡＹＥＲ組２はＲＡＮＫ又はＬＡＹＥＲ＝｛２〜８｝であるか、
或いは、ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１，２，３，４｝であるか、
或いは、ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３〜８｝であるか、
或いは、ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛５〜８｝であるか、
或いは、ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛１〜８｝であって、
該Ｘが３である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝で、ＲＡＮＫ又はＬＡＹＥＲ組３はＲＡＮＫ又はＬＡＹＥＲ＝｛５〜８｝であるか、
或いは、ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１〜４｝で、ＲＡＮＫ又はＬＡＹＥＲ組３はＲＡＮＫ又はＬＡＹＥＲ＝｛１〜８｝であるか、
或いは、ＲＡＮＫ又はＬＡＹＥＲ組１はＲＡＮＫ又はＬＡＹＥＲ＝｛１，２、３｝で、ＲＡＮＫ又はＬＡＹＥＲ組２はＲＡＮＫ又はＬＡＹＥＲ＝｛４、５、６｝で、ＲＡＮＫ又はＬＡＹＥＲ組３はＲＡＮＫ又はＬＡＹＥＲ＝｛７、８｝であって、
該Ｘが４である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝で、ＲＡＮＫ又はＬＡＹＥＲ組３はＲＡＮＫ又はＬＡＹＥＲ＝｛５、６｝で、ＲＡＮＫ又はＬＡＹＥＲ組４は｛７、８｝であるか、
或いは、ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１〜４｝で、ＲＡＮＫ又はＬＡＹＥＲ組３はＲＡＮＫ又はＬＡＹＥＲ＝｛５、６｝で、ＲＡＮＫ又はＬＡＹＥＲ組４は｛５〜８｝である。
【０２０４】
選択可能な実施例６：端末が基地局によって設定されたＱ個のＣＳＩ測定スレッドを取得する。
【０２０５】
端末は、基地局の設定シグナルを受信し、その中からＱ個のＣＳＩ測定スレッドの設定を取得し、表２と表３に示すとおりである。
【０２０６】
【表２】
2018514165.tif 000074
【０２０７】
【表３】
2018514165.tif 000075
2018514165.tif 000076
【０２０８】
尚、異なる応用シーンに応じて、上述した選択可能な実施例１〜５を結合して、多様な異なる設定を実現することができる。
【０２０９】
選択可能な実施例７：端末がＱ個のＣＳＩ測定スレッドからＹ個選択してフィードバックする。
【０２１０】
端末は、各スレッドの設定に応じて、ＣＳＩ測定量子化を行って、複数のＣＳＩ測定量子化結果を得る。端末は、大容量ルールに従って、１つ又は複数の最適な結果を選択してフィードバックすることができる。
【０２１１】
端末は、大容量ルールに従って、１つ又は複数の最適な結果を選択してフィードバックすることができる。端末はさらに、高量子化効率ルールに従って、１つ又は複数の最適な結果を選択してフィードバックすることもできる。
【０２１２】
尚、端末はさらに、アップリンクチャネルを介して基地局に上記結果に対応するＣＳＩ測定スレッドをフィードバックすることもできる。
【０２１３】
この選択可能な実施例によると、複数のスレッドで多様なチャネル情報の測定を実現し、端末側が非常に優れたフィードバック柔軟性を有することになり、単一スレッドの場合にロバスト性が悪く、性能が不良である問題を解決し、フィードバックのオーバーヘッドを有効に抑制する効果を実現できる。
【０２１４】
他の実施形態において、上記実施形態及び好適な実施例で説明した技術案を実行するためのソフトウェアを提供する。
【０２１５】
他の実施形態において、上記ソフトウェアが記憶される記憶媒体を提供し、該記憶媒体は、ＣＤ、フロッピー（登録商標）ディスク、ハードディスク、リライタブルメモリ等を含むがこれらに限定されることはない。
【０２１６】
上記した本発明の各手段又は各ステップを共通の計算装置によって実現することができ、単独の計算装置に集中させることができれば、複数の計算装置から構成されるネットワークに分布させることもでき、さらに計算装置が実行可能なプログラムコードによって実現することもできるので、それらを記憶装置に記憶させて計算装置によって実行することができ、場合によっては、他の順で図に示す又は説明したステップを実行することができ、又は夫々集積回路手段に製作し、又はそれらの中の複数の手段又はステップを単一の集積回路手段に製作して実現できることは当業者にとって明らかなことである。このように、本発明は如何なる特定のハードウェアとソフトウェアの結合にも限定されない。
【０２１７】
以上は、本発明の好適な実施形態に過ぎず、本発明を限定するものではない。当業者であれば本発明に様々な修正や変形が可能である。本発明の精神や原則内での全ての修正、置換、改良などは本発明の保護範囲内に含まれる。
【産業上の利用可能性】
【０２１８】
本発明の実施形態を実施する上記過程において、１つのチャネル状態情報ＣＳＩプロセスにＱ個の同ＣＳＩ測定スレッドを設定し、該基地局がさらにＱ個のＣＳＩ測定スレッドにＰ１個のチャネル測定基準信号とＰ２個の干渉測定リソースを設定する構成とすることで、即ち、複数のスレッドを設定し、該複数のスレッドにチャネル測定基準信号と干渉測定リソースを設定することで、多様なチャネル情報の測定を実現し、既存技術において基準信号の測定やフィードバック技術が柔軟性に欠けている問題を解決できる。
【図１】
2018514165.tif 000077
【図２】
2018514165.tif 000078
【図３】
2018514165.tif 000079
【図４】
2018514165.tif 000080
【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
基地局が１つのチャネル状態情報ＣＳＩプロセスにＱ個（Ｑは２以上の整数である）のＣＳＩ測定スレッドを設定することと、
前記基地局が前記Ｑ個のＣＳＩ測定スレッドに、前記Ｑ個のＣＳＩ測定スレッドのチャネル測定の実行に用いられるＰ１個（Ｐ１は０より大きい整数である）のチャネル測定基準信号と、前記Ｑ個のＣＳＩ測定スレッドの干渉測定の実行に用いられるＰ２個（Ｐ２は０より大きい整数である）の干渉測定リソースとを設定することと、を含むチャネル情報の設定方法。
【請求項２】
前記Ｑ個のＣＳＩ測定スレッドに対応するチャネル測定基準信号は同じで、前記Ｑ個のＣＳＩ測定スレッドの中の少なくとも二つのＣＳＩ測定スレッドに対応する干渉測定リソースは異なるか、或いは、
前記Ｑ個のＣＳＩ測定スレッドに対応する干渉リソース測定基準信号は同じで、前記Ｑ個のＣＳＩ測定スレッドの中の少なくとも二つのＣＳＩ測定スレッドに対応する干渉測定リソースは異なる請求項1に記載の方法。
【請求項３】
前記Ｑ個のＣＳＩ測定スレッドに対応するチャネル測定基準信号には、少なくとも２種類の異なるタイプの基準信号が存在する請求項1に記載の方法。
【請求項４】
前記基地局が前記Ｑ個のＣＳＩ測定スレッドに、前記ＣＳＩの量子化及び／又はフィードバック方法を設定することを含む請求項1に記載の方法。
【請求項５】
前記基地局が前記Ｑ個のＣＳＩ測定スレッドに、前記ＣＳＩの量子化及び／又はフィードバック方法を設定することは、
前記基地局が前記Ｑ個のＣＳＩ測定スレッドにチャネルのランクＲＡＮＫ又は伝送層数ＬＡＹＥＲの計算方法を設定すること、及び／又は、
前記基地局が前記Ｑ個のＣＳＩ測定スレッドにランク指標ＲＩの計算方法を設定すること、及び／又は、
前記基地局が前記Ｑ個のＣＳＩ測定スレッドに使用するコードブック量子化方法を設定すること、及び／又は、
前記基地局が前記Ｑ個のＣＳＩ測定スレッドにＣＳＩのフィードバックモードを設定することを含む請求項４に記載の方法。
【請求項６】
前記Ｑ個のＣＳＩ測定スレッドには、それぞれＸ個のＲＡＮＫ又はＬＡＹＥＲ組のチャネル情報のフィードバックに用いられる少なくともＸ個のＣＳＩ測定スレッドが存在する請求項５に記載の方法。
【請求項７】
前記Ｘが２である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１，２，３，４｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３〜８｝であるか、或いは、
ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛５〜８｝であるか、或いは、
ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛１〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２はＲＡＮＫ又はＬＡＹＥＲ＝｛２｝  ｏｒ  ＲＡＮＫ又はＬＡＹＥＲ＝｛２〜４｝  ｏｒ  ｛２〜８｝  ｏｒ  ｛１〜２｝  ｏｒ  ｛１〜４｝ｏｒ  ｛１〜８｝であって、
前記Ｘが３である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝で、ＲＡＮＫ又はＬＡＹＥＲ組３はＲＡＮＫ又はＬＡＹＥＲ＝｛５〜８｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１〜４｝で、ＲＡＮＫ又はＬＡＹＥＲ組３はＲＡＮＫ又はＬＡＹＥＲ＝｛１〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３，４｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２〜４｝で、ＲＡＮＫ又はＬＡＹＥＲ組２は｛５，８｝である請求項６に記載の方法。
【請求項８】
端末が１つのＣＳＩプロセスに対応するＱ個のＣＳＩ測定スレッドの設定情報を取得することを含む方法であって、
前記設定情報は、前記Ｑ個のＣＳＩ測定スレッドのチャネル測定の実行に用いられるＰ１個（Ｐ１は０より大きい整数である）のチャネル測定基準信号と、前記Ｑ個のＣＳＩ測定スレッドの干渉測定の実行に用いられるＰ２個（Ｐ２は０より大きい整数である）の干渉測定リソースとを含み、
前記端末が前記Ｐ１個のチャネル測定基準信号と前記Ｐ２個の干渉測定リソースに基づいて、前記Ｑ個のＣＳＩ測定スレッドにＣＳＩ測定及びＣＳＩフィードバック操作を実行し、ＣＳＩ測定及びＣＳＩフィードバック操作が実行された前記Ｑ個のＣＳＩ測定スレッドからＹ個のＣＳＩ測定スレッドを選択することを含むチャネル情報のフィードバック方法。
【請求項９】
前記Ｑ個のＣＳＩ測定スレッドに対応するチャネル測定基準信号は同じで、前記Ｑ個のＣＳＩ測定スレッドの中の少なくとも二つのＣＳＩ測定スレッドに対応する干渉測定リソースは異なるか、或いは、
前記Ｑ個のＣＳＩ測定スレッドに対応する干渉リソース測定基準信号は同じで、前記Ｑ個のＣＳＩ測定スレッドの中の少なくとも二つのＣＳＩ測定スレッドに対応する干渉測定リソースは異なる請求項８に記載の方法。
【請求項１０】
前記Ｑ個のＣＳＩ測定スレッドに対応するチャネル測定基準信号には、少なくとも２種類の異なるタイプの基準信号が存在する請求項８に記載の方法。
【請求項１１】
前記設定情報はさらに、前記Ｑ個のＣＳＩ測定スレッドに前記ＣＳＩの量子化及び／又はフィードバック方法を設定するよう前記基地局に指示するためのものである請求項８に記載の方法。
【請求項１２】
前記ＣＳＩの量子化及び／又はフィードバック方法は、チャネルのランクＲＡＮＫ又は伝送層数ＬＡＹＥＲの計算方法と、ランク指標ＲＩの計算方法と、使用するコードブック量子化方法と、ＣＳＩのフィードバックモードとの中の少なくとも１つを含む請求項１１に記載の方法。
【請求項１３】
前記Ｑ個のＣＳＩ測定スレッドには、それぞれＸ個のＲＡＮＫ又はＬＡＹＥＲ組のチャネル情報のフィードバックに用いられる少なくともＸ個のＣＳＩ測定スレッドが存在する請求項１２に記載の方法。
【請求項１４】
前記Ｘが２である場合、
ＲＡＮＫ又はＬＡＹＥＲ組１はＲＡＮＫ＝｛１，２｝又はＬＡＹＥＲ＝｛１，２｝で、ＲＡＮＫ又はＬＡＹＥＲ組２はＲＡＮＫ又はＬＡＹＥＲ＝｛３，４｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１，２，３，４｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３〜８｝であるか、或いは、
ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛５〜８｝であるか、或いは、
ＲＡＮＫ又はＬＡＹＥＲ組１はＲＡＮＫ又はＬＡＹＥＲ＝｛１〜４｝で、ＲＡＮＫ又はＬＡＹＥＲ組２はＲＡＮＫ又はＬＡＹＥＲ＝｛１〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２はＲＡＮＫ又はＬＡＹＥＲ＝｛２｝  ｏｒ  ＲＡＮＫ又はＬＡＹＥＲ＝｛２〜４｝  ｏｒ  ｛２〜８｝  ｏｒ  ｛１〜２｝  ｏｒ  ｛１〜４｝  ｏｒ  ｛１〜８｝であって、
前記Ｘが３である場合、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛３，４｝で、ＲＡＮＫ又はＬＡＹＥＲ組３はＲＡＮＫ又はＬＡＹＥＲ＝｛５〜８｝であるか、或いは、
ＲＡＮＫ又はＬＡＹＥＲ組１はＲＡＮＫ又はＬＡＹＥＲ＝｛１，２｝で、ＲＡＮＫ又はＬＡＹＥＲ組２はＲＡＮＫ又はＬＡＹＥＲ＝｛１〜４｝で、ＲＡＮＫ又はＬＡＹＥＲ組３はＲＡＮＫ又はＬＡＹＥＲ＝｛１〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３，４｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２｝で、ＲＡＮＫ又はＬＡＹＥＲ組２は｛３〜８｝であるか、或いは、
ＲＡＮＫ又はＬＡＹＥＲ組１はＲＡＮＫ又はＬＡＹＥＲ＝｛１｝で、ＲＡＮＫ又はＬＡＹＥＲ組２は｛２〜４｝で、ＲＡＮＫ又はＬＡＹＥＲ組２は｛５，８｝である請求項１３に記載の方法。
【請求項１５】
基地局側にあるチャネル情報の設定装置であって、
１つのチャネル状態情報ＣＳＩプロセスにＱ個（Ｑは２以上の整数である）のＣＳＩ測定スレッドを設定するように構成された第１の設定モジュールと、
前記Ｑ個のＣＳＩ測定スレッドに、前記Ｑ個のＣＳＩ測定スレッドのチャネル測定の実行に用いられるＰ１個（Ｐ１は０より大きい整数である）のチャネル測定基準信号と、前記Ｑ個のＣＳＩ測定スレッドの干渉測定の実行に用いられるＰ２個（Ｐ２は０より大きい整数である）の干渉測定リソースを設定するように構成された第２の設定モジュールと、を備えるチャネル情報の設定装置。
【請求項１６】
前記Ｑ個のＣＳＩ測定スレッドに対応するチャネル測定基準信号は同じで、前記Ｑ個のＣＳＩ測定スレッドの中の少なくとも二つのＣＳＩ測定スレッドに対応する干渉測定リソースは異なるか、或いは、
前記Ｑ個のＣＳＩ測定スレッドに対応する干渉リソース測定基準信号は同じで、前記Ｑ個のＣＳＩ測定スレッドの中の少なくとも二つのＣＳＩ測定スレッドに対応する干渉測定リソースは異なる請求項１５に記載の装置。
【請求項１７】
前記Ｑ個のＣＳＩ測定スレッドに対応するチャネル測定基準信号には、少なくとも２種類の異なるタイプの基準信号が存在する請求項１５に記載の装置。
【請求項１８】
前記Ｑ個のＣＳＩ測定スレッドに前記ＣＳＩの量子化及び／又はフィードバック方法を設定するように構成された第３の設定モジュールを備える請求項１５に記載の装置。
【請求項１９】
端末側にあり、取得モジュールと、選択モジュールとを備えるチャネル情報のフィードバック装置であって、
前記取得モジュールは、１つのＣＳＩプロセスに対応するＱ個のＣＳＩ測定スレッドの設定情報を取得するように構成され、
前記設定情報は、前記Ｑ個のＣＳＩ測定スレッドのチャネル測定の実行に用いられるＰ１個（Ｐ１は０より大きい整数である）のチャネル測定基準信号と、前記Ｑ個のＣＳＩ測定スレッドの干渉測定の実行に用いられるＰ２個（Ｐ２は０より大きい整数である）の干渉測定リソースとを含み、
前記選択モジュールは、前記端末が前記Ｐ１個のチャネル測定基準信号と前記Ｐ２個の干渉測定リソースに基づいて前記Ｑ個のＣＳＩ測定スレッドにＣＳＩ測定及びＣＳＩフィードバック操作を実行して、ＣＳＩ測定及びＣＳＩフィードバック操作が実行された前記Ｑ個のＣＳＩ測定スレッドからＹ個のＣＳＩ測定スレッドを選択するように構成されるチャネル情報のフィードバック装置。
【請求項２０】
前記Ｑ個のＣＳＩ測定スレッドに対応するチャネル測定基準信号は同じで、前記Ｑ個のＣＳＩ測定スレッドの中の少なくとも二つのＣＳＩ測定スレッドに対応する干渉測定リソースは異なるか、或いは、
前記Ｑ個のＣＳＩ測定スレッドに対応する干渉リソース測定基準信号は同じで、前記Ｑ個のＣＳＩ測定スレッドの中の少なくとも二つのＣＳＩ測定スレッドに対応する干渉測定リソースは異なる請求項１９に記載の装置。
【国際調査報告】
2018514165.tif 000081
2018514165.tif 000082
2018514165.tif 000083
2018514165.tif 000084